(57)【特許請求の範囲】
【請求項１】
透明基板と、
前記透明基板上に形成され、電気的に共通に接続された複数の検出用列配線を含む矩形状の列方向束配線、及び、電気的に共通に接続された複数の検出用行配線を含む矩形状の行方向束配線と
を備え、
平面視において、前記列方向束配線と前記行方向束配線とが交差する交差領域を分割してなる複数のブロック領域が規定され、
各前記ブロック領域には、前記検出用列配線のみまたは前記の検出用行配線のみが設けられている、タッチスクリーン。
【請求項２】
請求項１に記載のタッチスクリーンであって、
前記検出用列配線のみが設けられた第１の前記ブロック領域と、前記検出用行配線のみが設けられた第２の前記ブロック領域とが、列方向及び行方向において交互に配置されている、タッチスクリーン。
【請求項３】
請求項２に記載のタッチスクリーンであって、
１つの前記交差領域において、斜めに隣接する前記第１のブロック領域間を斜めにつなぐ１本の前記検出用列配線と、これと相補的に斜めに隣接する前記第２のブロック領域間を斜めにつなぐ１本の前記検出用行配線とが、立体的に交差する、タッチスクリーン。
【請求項４】
請求項３に記載のタッチスクリーンであって、
前記１つの交差領域において、前記検出用列配線と前記検出用行配線との立体交差を１箇所のみ備える、タッチスクリーン。
【請求項５】
請求項１乃至請求項４のいずれかに記載のタッチスクリーンであって、
各前記ブロック領域における前記検出用列配線は、
前記列方向及び前記行方向に沿って所定ピッチで繰り返し配設され、前記列方向対して第１角度だけ傾斜している第１傾斜部と、
前記列方向及び前記行方向に沿って前記所定ピッチで繰り返し配設され、前記列方向に対して前記第１傾斜部と逆向きに傾斜している第２傾斜部とを備え、
各前記ブロック領域における前記検出用行配線は、
前記列方向及び前記行方向に沿って前記所定ピッチで繰り返し配設され、前記行方向に対して第２角度だけ傾斜している第３傾斜部と、
前記列方向及び前記行方向に沿って前記所定ピッチで繰り返し配設され、前記行方向に対して前記第３傾斜部と逆向きに傾斜している第４傾斜部とを備える、タッチスクリーン。
【請求項６】
請求項５に記載のタッチスクリーンであって、
各前記ブロック領域における前記検出用列配線は、
互いに線対称の関係にある第１及び第２検出用列配線を備え、
各前記ブロック領域における前記検出用行配線は、
互いに線対称の関係にある第１及び第２検出用行配線を備える、タッチスクリーン。
【請求項７】
請求項５または請求項６に記載のタッチスクリーンであって、
前記第１傾斜部及び第２傾斜部は互いに直交し、
前記第３傾斜部及び第４傾斜部は互いに直交する、タッチスクリーン。
【請求項８】
請求項５乃至請求項７のいずれかに記載のタッチスクリーンであって、
前記第１傾斜部及び前記第２傾斜部はそれぞれ中点で交差し、
前記第３傾斜部及び前記第４傾斜部はそれぞれ中点で交差する、タッチスクリーン。
【請求項９】
請求項５乃至請求項８のいずれかに記載のタッチスクリーンであって、
前記第１及び第２角度は４５°である、タッチスクリーン。
【請求項１０】
請求項６に記載のタッチスクリーンであって、
各前記ブロック領域における前記検出用列配線は、
前記第１検出用列配線と前記第２検出用列配線とを接続する第１分岐配線をさらに備え、
各前記ブロック領域における前記検出用行配線は、
前記第１検出用行配線と前記第２検出用行配線とを接続する第２分岐配線をさらに備える、タッチスクリーン。
【請求項１１】
請求項１０に記載のタッチスクリーンであって、
前記第１分岐配線は、
前記第１及び第２傾斜部と同様の傾斜部を備え、
前記第２分岐配線は、
前記第３及び第４傾斜部と同様の傾斜部を備える、タッチスクリーン。
【請求項１２】
請求項５乃至請求項１１のいずれかに記載のタッチスクリーンであって、
前記ブロック領域の一辺は、前記所定ピッチよりも長い、タッチスクリーン。
【請求項１３】
透明基板と、
前記透明基板上に形成され、電気的に共通に接続された複数の検出用列配線を含む矩形状の列方向束配線、及び、電気的に共通に接続された複数の検出用行配線を含む矩形状の行方向束配線と、
前記行方向束配線と同じ配線層に形成され、前記列方向束配線及び前記行方向束配線と非接続である第１フローティング配線と、
前記列方向束配線と同じ配線層に形成され、前記列方向束配線及び前記行方向束配線と非接続である第２フローティング配線と
を備え、
平面視において、前記列方向束配線と前記行方向束配線とが交差する交差領域を分割してなる複数のブロック領域が規定され、
各前記ブロック領域には、前記検出用列配線及び前記第１フローティング配線、または、前記検出用行配線及び前記第２フローティング配線が設けられている、タッチスクリーン。
【請求項１４】
請求項１３に記載のタッチスクリーンであって、
前記検出用列配線及び前記第１フローティング配線が設けられた第１の前記ブロック領域と、前記検出用行配線及び前記第２フローティング配線が設けられた第２の前記ブロック領域とが、列方向及び行方向において交互に配置されている、タッチスクリーン。
【請求項１５】
請求項１４に記載のタッチスクリーンであって、
１つの前記交差領域において、斜めに隣接する前記第１のブロック領域間を斜めにつなぐ１本の前記検出用列配線と、これと相補的に斜めに隣接する前記第２のブロック領域間を斜めにつなぐ１本の前記検出用行配線とが、立体的に交差する、タッチスクリーン。
【請求項１６】
請求項１５に記載のタッチスクリーンであって、
前記１つの交差領域において、前記検出用列配線と前記検出用行配線との立体交差を１箇所のみ備える、タッチスクリーン。
【請求項１７】
請求項１３乃至請求項１６のいずれかに記載のタッチスクリーンであって、
各前記ブロック領域における前記検出用列配線は、
前記列方向及び前記行方向に沿って所定ピッチで繰り返し配設され、前記列方向対して第１角度だけ傾斜している第１傾斜部と、
前記列方向及び前記行方向に沿って前記所定ピッチで繰り返し配設され、前記列方向に対して前記第１傾斜部と逆向きに傾斜している第２傾斜部とを備え、
各前記ブロック領域における前記検出用行配線は、
前記列方向及び前記行方向に沿って前記所定ピッチで繰り返し配設され、前記行方向に対して第２角度だけ傾斜している第３傾斜部と、
前記列方向及び前記行方向に沿って前記所定ピッチで繰り返し配設され、前記行方向に対して前記第３傾斜部と逆向きに傾斜している第４傾斜部とを備え、
各前記ブロック領域における前記第１フローティング配線は、
前記第１及び第２傾斜部と同様の傾斜部を備え、
各前記ブロック領域における前記第２フローティング配線は、
前記第３及び第４傾斜部と同様の傾斜部を備える、タッチスクリーン。
【請求項１８】
請求項１７に記載のタッチスクリーンであって、
各前記ブロック領域における前記検出用列配線は、
互いに線対称の関係にある第１及び第２検出用列配線を備え、
各前記ブロック領域における前記検出用行配線は、
互いに線対称の関係にある第１及び第２検出用行配線を備え、
各ブロック領域における前記第１フローティング配線は、
互いに線対称の関係にある第１及び第２部分フローティング配線を備え、
各ブロック領域における前記第２フローティング配線は、
互いに線対称の関係にある第３及び第４部分フローティング配線を備える、タッチスクリーン。
【請求項１９】
請求項１７または請求項１８に記載のタッチスクリーンであって、
前記第１傾斜部及び第２傾斜部は互いに直交し、
前記第３傾斜部及び第４傾斜部は互いに直交する、タッチスクリーン。
【請求項２０】
請求項１７乃至請求項１９のいずれかに記載のタッチスクリーンであって、
前記第１傾斜部及び前記第２傾斜部はそれぞれ中点で交差し、
前記第３傾斜部及び前記第４傾斜部はそれぞれ中点で交差する、タッチスクリーン。
【請求項２１】
請求項１７乃至請求項２０のいずれかに記載のタッチスクリーンであって、
前記第１及び第２角度は４５°である、タッチスクリーン。
【請求項２２】
請求項１８に記載のタッチスクリーンであって、
各前記ブロック領域における前記検出用列配線は、
前記第１検出用列配線と前記第２検出用列配線とを接続する第１分岐配線をさらに備え、
各前記ブロック領域における前記検出用行配線は、
前記第１検出用行配線と前記第２検出用行配線とを接続する第２分岐配線をさらに備え、
各前記ブロック領域における前記第１フローティング配線は、
前記第１部分フローティング配線と前記第２部分フローティング配線とを接続する第３分岐配線をさらに備え、
各前記ブロック領域における前記第２フローティング配線は、
前記第３部分フローティング配線と前記第４部分フローティング配線とを接続する第４分岐配線をさらに備える、タッチスクリーン。
【請求項２３】
請求項２２に記載のタッチスクリーンであって、
前記第１及び前記第３分岐配線は、
前記第１及び第２傾斜部と同様の傾斜部を備え、
前記第２及び前記第４分岐配線は、
前記第３及び第４傾斜部と同様の傾斜部を備える、タッチスクリーン。
【請求項２４】
請求項１７乃至請求項２３のいずれかに記載のタッチスクリーンであって、
前記ブロック領域の一辺は、前記所定ピッチよりも長い、タッチスクリーン。
【請求項２５】
請求項１４に記載のタッチスクリーンであって、
隣り合う２つの前記ブロック領域の境界における、一方の前記ブロック領域に設けられた前記検出用列配線または第２フローティング配線の第１端部と、他方の前記ブロック領域に設けられた前記検出用列配線または前記第２フローティング配線の第２端部との間の離間部において、前記第１及び第２端部と異なる配線層に形成された第１ダミー配線を備える、タッチスクリーン。
【請求項２６】
請求項２５に記載のタッチスクリーンであって、
前記第１ダミー配線の両端部は、前記第１及び第２端部とそれぞれ平面視において一部重なっている、タッチスクリーン。
【請求項２７】
請求項１４に記載のタッチスクリーンであって、
隣り合う２つの前記ブロック領域の境界における、一方の前記ブロック領域に設けられた前記検出用行配線または第１フローティング配線の第３端部と、他方の前記ブロック領域に設けられた前記検出用行配線または前記第１フローティング配線の第４端部との間の離間部において、前記第３及び第４端部と異なる配線層に形成された第２ダミー配線を備える、タッチスクリーン。
【請求項２８】
請求項２７に記載のタッチスクリーンであって、
前記第２ダミー配線の両端部は、前記第３及び第４端部とそれぞれ平面視において一部重なっている、タッチスクリーン。
【請求項２９】
請求項１乃至請求項２８のいずれかに記載のタッチスクリーンと、
複数の前記列方向束配線の各々、及び、複数の前記行方向束配線の各々を順次に選択するスイッチ回路と、
前記スイッチ回路により選択された前記列方向束配線と、前記タッチスクリーンをタッチした指示体との間に形成される静電容量、及び、前記スイッチ回路により選択された前記行方向束配線と、前記指示体との間に形成される静電容量の検出結果に基づいて、前記指示体のタッチ位置を示す前記タッチスクリーンにおけるタッチ座標の算出処理を行う検出処理回路と
を備える、タッチパネル。
【請求項３０】
請求項１乃至請求項２８のいずれかに記載のタッチスクリーンと、
複数の前記列方向束配線の各々、及び、複数の前記行方向束配線の各々を順次に選択するスイッチ回路と、
前記タッチスクリーンへの指示体のタッチに応じた、前記スイッチ回路により選択された前記列方向束配線と前記行方向束配線との間の相互容量の変化の検出結果に基づいて、前記指示体のタッチ位置を示す前記タッチスクリーンにおけるタッチ座標の算出処理を行う検出処理回路と
を備える、タッチパネル。
【請求項３１】
請求項２９または請求項３０に記載のタッチパネルと、
前記タッチパネルの前記タッチスクリーンに装着される表示パネルと
を備える表示装置。
【請求項３２】
請求項３１に記載の表示装置であって、
前記タッチスクリーンは、前記表示パネルの前面側に粘着固定される、表示装置。
【請求項３３】
請求項３１または請求項３２に記載の表示装置であって、
前記タッチスクリーンの前記列方向と前記表示パネル内の画素パターンの列方向とは互いに平行であり、
前記タッチスクリーンの前記行方向と前記表示パネル内の前記画素パターンの行方向とは互いに平行である、表示装置。
【発明の詳細な説明】
【技術分野】
【０００１】
本発明は、タッチスクリーン、タッチパネル及びそれを備える表示装置に関するものである。
【背景技術】
【０００２】
従来、指などの指示体によるタッチを検出し、そのタッチ位置の座標を特定するタッチパネルが、優れたインターフェース手段の一つとして注目されている。このタッチパネルでは、抵抗膜方式や静電容量方式などの様々な方式が提案され、製品化されている。
【０００３】
このような静電容量方式のタッチパネルの一種として、特許文献１に開示されている投写型静電容量（Projected Capacitive）方式のタッチパネルが知られている。この投写型静電容量方式のタッチパネルでは、タッチセンサを内蔵したタッチスクリーンの前面側が、数ｍｍ厚程度のガラス板等の保護板で覆われていても、保護板への指などによるタッチを検出することが可能となっている。このようなタッチスクリーンは、堅牢性に優れる点、手袋装着時でもタッチ検出が可能である点、及び可動部が無く長寿命である点などの利点を有することから、様々な技術が提案されている。
【０００４】
例えば、特許文献１に開示のタッチパネルを構成するタッチスクリーンは、静電容量を検出するための検出用配線（検出電極）として、薄い導電膜で形成された第１シリーズの導体エレメントと、第１シリーズの導体エレメント上に絶縁膜を介して形成された第２シリーズの導体エレメントとを備えている。また、各導体エレメント間には電気的接触はなく、複数の交点が形成されている。このような特許文献１に開示の技術によれば、指などの指示体と、検出用配線である導体エレメントとの間に形成される静電容量を検出回路で検出することによって、指示体がタッチした位置の位置座標が特定される。さらに、１以上の導体エレメントの検出容量相対値により導体エレメント間のタッチ位置が補間可能となっている。
【０００５】
特許文献２に開示のタッチパネルを構成するタッチスクリーンは、検出用列配線及び検出用行配線を備えており、これら配線が、それぞれ列／行方向に４５°で傾斜した傾斜部分をもってジグザグ状に繰り返されるジグザグパターンの金属配線から形成されている。このような特許文献２に開示の技術によれば、検出用配線間の寄生容量を増大させずに配線密度を高めてタッチの検出感度を向上させることが可能となっている。
【０００６】
特許文献３に開示のタッチパネルを構成するタッチスクリーンは、特許文献２のタッチスクリーンと同様に、ジグザグパターンに形成された検出用列配線及び検出用行配線を備えているとともに、検出用列配線と検出用行配線との間に配線をさらに備えている。
【０００７】
特許文献４には、一般に相互容量検出方式と呼ばれる検出方式が開示されている。具体的には、特許文献４に開示のキー・マトリクスは、複数の駆動／受信電極対の配列からなり、指など指示体の基板への接触に応じて生じる電極間の電界変化に伴う結合静電容量（相互電極静電容量）の変化を電荷量として検出する。
【０００８】
特許文献５に開示の容量ベースタッチ検出装置は、Ｘ電極及びＹ電極を含む電極アレイを備えており、Ｘ電極とＹ電極との間の相互容量が容量測定回路により検出される。そして、その被測定容量を示す出力電圧変化が、相互容量、既知の基準容量、既知の駆動電圧変化に応じて決定されている。
【０００９】
上述の特許文献２及び特許文献３に開示の技術によれば、検出用列配線と検出用行配線との間に形成される配線間容量（以下「行列配線間容量」）を増大させずに配線密度を大きくすることが可能となる。また、矩形状に配置された検出用配線は、菱形連鎖形状に配置された検出用配線に比べ、検出結果に基づく座標補間処理が容易であるという利点、または、補間処理によって求めた座標の直線性が高い（特に斜め方向）という利点がある。
【先行技術文献】
【特許文献】
【００１０】
【特許文献１】特表平９−５１１０８６号公報
【特許文献２】特開２０１０−６１５０２号公報
【特許文献３】特開２０１０−９７５３６号公報
【特許文献４】特表２００３−５２６８３１号公報
【特許文献５】特表平１１−５０５６４１号公報
【発明の概要】
【発明が解決しようとする課題】
【００１１】
さて、検出方法によっては、タッチスクリーンへの指などの指示体のタッチの有無に応じて変化する行列配線間容量が、検出感度と密接に関連することがある。例えば、特許文献４に開示された相互容量検出方式によれば、指などの指示体のタッチに応じた行列配線間容量の変化（電極間の電界の変化）が大きくなるほうが検出感度を高くすることができる。
【００１２】
ところが、例えば、特許文献２に開示のタッチスクリーンに対して特許文献３に開示の検出方法を適用した構成のように、列方向束配線と行方向束配線との間の容量（電界結合）が大きい構成においては、指などの指示体のタッチに応じた検出用列配線と検出用行配線との間の電界変化、すなわち行列配線間容量における変化が生じにくくなっている。したがって、このような構成において相互容量検出方式を適用すると、タッチの検出感度が低いという問題があった。
【００１３】
そこで、本発明は、上記のような問題点を鑑みてなされたものであり、列方向束配線と行方向束配線との間の容量を低減可能な技術を提供することを目的とする。
【課題を解決するための手段】
【００１４】
本発明に係るタッチスクリーンは、透明基板と、前記透明基板上に形成され、電気的に共通に接続された複数の検出用列配線を含む矩形状の列方向束配線、及び、電気的に共通に接続された複数の検出用行配線を含む矩形状の行方向束配線とを備える。そして、平面視において、前記列方向束配線と前記行方向束配線とが交差する交差領域を分割してなる複数のブロック領域が規定され、各前記ブロック領域には、前記検出用列配線のみまたは前記検出用行配線のみが設けられている。
【発明の効果】
【００１５】
本発明によれば、検出用列配線と検出用行配線との交差箇所を低減することができる。したがって、列方向束配線と行方向束配線との間の配線間容量を低減することができる。
【図面の簡単な説明】
【００１６】
【図１】実施の形態１に係るタッチスクリーンの構成を示す平面図である。
【図２】実施の形態１に係るタッチスクリーンの構成を示す拡大平面図である。
【図３】実施の形態１に係るタッチスクリーンの構成を示す拡大平面図である。
【図４】実施の形態１に係るタッチスクリーンの構成を示す拡大平面図である。
【図５】実施の形態１に係るタッチスクリーンの構成を示す拡大平面図である。
【図６】実施の形態１に係るタッチスクリーンの構成を示す拡大平面図である。
【図７】実施の形態１に係るタッチスクリーンの構成を示す拡大平面図である。
【図８】実施の形態１に係るタッチスクリーンの構成を示す拡大平面図である。
【図９】実施の形態１に係るタッチスクリーンの構成を示す拡大平面図である。
【図１０】実施の形態１に係るタッチスクリーンの構成を示す拡大平面図である。
【図１１】実施の形態１に係るタッチスクリーンの構成を示す拡大平面図である。
【図１２】実施の形態１に係るタッチスクリーンの構成を示す斜視図である。
【図１３】実施の形態１に係るタッチスクリーンの構成を示す斜視図である。
【図１４】実施の形態１に係るタッチパネルの構成を示す図である。
【図１５】実施の形態２に係るタッチスクリーンの構成を示す拡大平面図である。
【図１６】実施の形態２に係るタッチスクリーンの構成を示す拡大平面図である。
【図１７】実施の形態２に係るタッチスクリーンの構成を示す拡大平面図である。
【図１８】実施の形態２に係るタッチスクリーンの構成を示す拡大平面図である。
【図１９】実施の形態２に係るタッチスクリーンの構成を示す拡大平面図である。
【図２０】実施の形態２に係るタッチスクリーンの構成を示す拡大平面図である。
【図２１】実施の形態２に係るタッチスクリーンの構成を示す拡大平面図である。
【図２２】実施の形態２に係るタッチスクリーンの構成を示す拡大平面図である。
【図２３】実施の形態２に係るタッチスクリーンの構成を示す拡大平面図である。
【図２４】実施の形態２に係るタッチスクリーンにおける配線間容量を示す図である。
【図２５】実施の形態３に係るタッチスクリーンの構成を示す拡大平面図である。
【図２６】実施の形態３に係るタッチスクリーンの構成を示す拡大平面図である。
【図２７】実施の形態３に係るタッチスクリーンの構成を示す拡大平面図である。
【図２８】実施の形態３に係るタッチスクリーンの構成を示す拡大平面図である。
【図２９】実施の形態３に係るタッチスクリーンの構成を示す拡大平面図である。
【図３０】実施の形態３に係るタッチスクリーンの構成を示す拡大平面図である。
【図３１】実施の形態４に係るタッチスクリーンの構成を示す拡大平面図である。
【図３２】実施の形態４に係るタッチスクリーンの構成を示す拡大平面図である。
【図３３】実施の形態４に係るタッチスクリーンの構成を示す拡大平面図である。
【図３４】実施の形態４に係るタッチスクリーンの構成を示す拡大平面図である。
【図３５】実施の形態４に係るタッチスクリーンの構成を示す拡大平面図である。
【図３６】実施の形態４に係るタッチスクリーンの構成を示す拡大平面図である。
【図３７】実施の形態５に係るタッチスクリーンの構成を示す拡大平面図である。
【図３８】実施の形態５に係るタッチスクリーンの構成を示す拡大平面図である。
【図３９】実施の形態６に係る液晶表示装置の構成を示す図である。
【図４０】対比タッチスクリーンの構成を示す拡大平面図である。
【図４１】対比タッチスクリーンの構成を示す拡大平面図である。
【発明を実施するための形態】
【００１７】
＜実施の形態１＞
図１は、本発明の実施の形態１に係るタッチパネルが備えるタッチスクリーン１の構成を模式的に示す平面図である。以下、図１などを参照して、本実施の形態に係るタッチスクリーン１の構成等について説明する。なお、本実施の形態で説明する構成要素に付される参照符号は、実施の形態２，３において、当該構成要素と同一または類似する構成要素に対しても付されるものとする。
【００１８】
図１に示されるように、タッチスクリーン１は、透明なガラス材料または透明な樹脂からなる透明基板であるベース基板１２と、（１）列方向（図１中のｙ方向に相当）に延在する複数の検出用列配線２と、（２）行方向（図１中のｘ方向に相当）に延在する複数の検出用行配線３とを備えている。そして、複数の検出用列配線２及び複数の検出用行配線３は、ベース基板１２上に形成されている。なお、図１では便宜上、検出用列配線２及び検出用行配線３は直線で示されているが、実際には図２等に示されるようにジグザグ状の形状を有している。
【００１９】
複数の検出用列配線２は、接続用配線４などによって電気的に共通に接続されている。そして、本実施の形態では、電気的に共通に接続された複数の検出用列配線２が、列方向ｙに延在する矩形状の列方向束配線６に含まれている。つまり、列方向束配線６は、電気的に共通に接続された複数の検出用列配線２を含んでいる。なお、上記においては、検出用列配線２は列方向ｙに延在するとしたが、これに限ったものではなく、列方向ｙに延在しない配線であっても、列方向束配線６を構成する配線であれば検出用列配線２と呼ぶものとする。
【００２０】
同様に、複数の検出用行配線３は、接続用配線５などによって電気的に共通に接続されている。そして、本実施の形態では、電気的に共通に接続された複数の検出用行配線３が、行方向ｘに延在する矩形状の行方向束配線７に含まれている。つまり、行方向束配線７は、電気的に共通に接続された複数の検出用行配線３を含んでいる。なお、上記においては、検出用行配線３は行方向ｘに延在するとしたが、これに限ったものではなく、行方向ｘに延在しない配線であっても、行方向束配線７を構成する配線であれば検出用行配線３と呼ぶものとする。
【００２１】
図１に示されるように、複数の列方向束配線６及び複数の行方向束配線７は、それぞれ行方向ｘ及び列方向ｙと平行に配置されており、マトリックス配置されている。なお、列方向束配線６及び行方向束配線７の数、各列方向束配線６を構成する検出用列配線２の数、各行方向束配線７を構成する検出用行配線３の数はそれぞれ、タッチパネルの指などの指示体のタッチ位置（タッチ座標値）の要求分解能から、適宜、選択・設定される。
【００２２】
列方向束配線６及び行方向束配線７は、引き出し配線８，９によって、ベース基板１２端部に設けられた端子１０にそれぞれ接続されている。なお、ここでは、図示の便宜上、引き出し配線８，９はそれぞれ１本の配線として描かれているが、列方向束配線６を構成する検出用列配線２ごとに１本の引き出し配線８が配設されてもよいし、行方向束配線７を構成する検出用行配線３ごとに１本の引き出し配線９が配設されてもよい。
【００２３】
以上のような構成からなるタッチスクリーン１においては、検出用列配線２及び検出用行配線３の配線密度を大きくすることができる。したがって、指示体と、列方向束配線６及び行方向束配線７のそれぞれとの間に形成される静電容量（タッチ容量）を検出する検出方式（一般に自己容量検出方式と呼ばれる）において、検出すべきタッチ容量を大きくすることができる。
【００２４】
次に、列方向束配線６及び行方向束配線７の構成について詳細に説明する。
【００２５】
図２は、平面視において、矩形状の列方向束配線６と、矩形状の行方向束配線７とが交差する領域を拡大した図である。より具体的には、図１において太い破線で示される交差領域Ａ周辺を拡大した図である。なお、以下の説明においては、この交差領域Ａを「グリッドＡ」と呼ぶこともある。また、以下の図においては、検出用列配線２を破線、検出用行配線３を実線で示すこともある。
【００２６】
本実地の形態に係るタッチスクリーン１においては、図２に太い一点鎖線で示される交差領域Ａ（グリッドＡ）を分割してなる、細い一点鎖線で示される複数（ここでは４つ）の四角形状のブロック領域Ｃ１，Ｃ２，Ｒ１，Ｒ２が規定されている。そして、ブロック領域Ｃ１，Ｃ２（第１のブロック領域）のそれぞれには細い破線で示される検出用列配線２のみが設けられ、ブロック領域Ｒ１，Ｒ２（第２のブロック領域）のそれぞれには細い実線で示される検出用行配線３のみが設けられている。
【００２７】
ここでは、グリッドＡ内において、ブロック領域Ｃ１が左上側（−ｘ側及び−ｙ側）に配置され、ブロック領域Ｃ２が右下側（＋ｘ側及び＋ｙ側）に配置され、ブロック領域Ｒ１が右上側（＋ｘ側及び−ｙ側）に配置され、ブロック領域Ｒ２が左下側（−ｘ側及び＋ｙ側）に配置されている。
【００２８】
本実施の形態では、このようなブロック領域Ｃ１，Ｃ２，Ｒ１，Ｒ２が列方向束配線６及び行方向束配線７の全てにわたって規定されている。つまり、検出用列配線２のみが設けられたブロック領域Ｃ１，Ｃ２（第１のブロック領域）と、検出用行配線３のみが設けられたブロック領域Ｒ１，Ｒ２（第２のブロック領域）とが、全体として列方向ｙ及び行方向ｘにおいて交互に配置されており、チェッカーパターンを成している。
【００２９】
また、本実施の形態では、１つのグリッドＡにおいて、斜めに隣接するブロック領域Ｃ１，Ｃ２間を斜めにつなぐ１本の検出用列配線２と、これと相補的に斜めに隣接するブロック領域Ｒ１，Ｒ２間を斜めにつなぐ１本の検出用行配線３とが立体的に交差するものとなっている。そして、１つのグリッドＡにおいて、検出用列配線２と検出用行配線３との立体交差を、図３において破線の円が付された１箇所（ブロック領域Ｃ１，Ｃ２，Ｒ１，Ｒ２が接する１箇所）においてのみ備えるものとなっている。以下、このことについて詳細に説明する。
【００３０】
図４は、図３において破線の円が付された箇所の拡大図である。なお、タッチスクリーン１が図３に示すように構成されている場合には、図４（ａ）に示す配置で構成されるが、もちろん図４（ｂ）に示す配置でタッチスクリーン１を構成してもよい（後で説明する図５〜図７においても同様である）。この図４に示されるように、破線の円が付された箇所では、ブロック領域Ｃ１の１本の検出用列配線２と、ブロック領域Ｃ２の１本の検出用列配線２とが連結されているとともに、ブロック領域Ｒ１の１本の検出用行配線３と、ブロック領域Ｒ２の１本の検出用行配線３とが連結されている。
【００３１】
次に、図３において破線の三角形が付された箇所、つまりグリッドＡのブロック領域Ｃ１，Ｒ２と、それらの左側（−ｘ側）に隣接するブロック領域Ｒ１，Ｃ２とが接する箇所、及び、グリッドＡのブロック領域Ｃ２，Ｒ１と、それらの右側（＋ｘ側）に隣接するブロック領域Ｒ２，Ｃ１とが接する箇所について説明する。
【００３２】
図５は、当該箇所の拡大図である。この図５に示されるように、図３において破線の三角形が付された箇所では、ブロック領域Ｒ１の１本の検出用行配線３と、ブロック領域Ｒ２の１本の検出用行配線３とは連結されているが、ブロック領域Ｃ１の検出用列配線２と、ブロック領域Ｃ２の検出用列配線２とは、その連結部分を挟むように配置されており、非連結となっている。
【００３３】
次に、図３において破線の四角形が付された箇所、つまりグリッドＡのブロック領域Ｃ１，Ｒ１と、それらの上側（−ｙ側）に隣接するブロック領域Ｒ２，Ｃ２とが接する箇所、及び、グリッドＡのブロック領域Ｃ２，Ｒ２と、それらの下側（＋ｙ側）に隣接するブロック領域Ｒ１，Ｃ１とが接する箇所について説明する。
【００３４】
図６は、当該箇所の拡大図である。この図６に示されるように、図３において破線の四角形が付された箇所では、ブロック領域Ｃ１の１本の検出用列配線２と、ブロック領域Ｃ２の１本の検出用列配線２とは連結されているが、ブロック領域Ｒ１の検出用行配線３と、ブロック領域Ｒ２の検出用行配線３とは、その連結部分を挟むように配置され非連結となっている。
【００３５】
次に、図３において実線の円が付された箇所Ｏ１〜Ｏ４、つまりグリッドＡの４隅の箇所について説明する。
【００３６】
図７は、そのうちの１箇所の拡大図である。この図７に示されるように、実線の円が付された箇所Ｏ１〜Ｏ４では、ブロック領域Ｃ１，Ｃ２の検出用列配線２同士は離間されて非連結となっており、かつ、ブロック領域Ｒ１，Ｒ２の検出用行配線３同士は離間されて非連結となっている。
【００３７】
次に、ブロック領域Ｃ１，Ｃ２に設けられた検出用列配線２の構成について説明する。
【００３８】
図８及び図９は、それぞれ、ブロック領域Ｃ１，Ｃ２に設けられた検出用列配線２の構成を示す拡大図である。図８及び図９に示すように、ブロック領域Ｃ１，Ｃ２における検出用列配線２は、それぞれが第１傾斜部である傾斜部分２ａＳ１，２ｂＳ２，２ｃＳ１，２ｄＳ２と、それぞれが第２傾斜部である傾斜部分２ａＳ２，２ｂＳ１，２ｃＳ２，２ｄＳ１とを備える。
【００３９】
ここで、第１傾斜部（傾斜部分２ａＳ１，２ｂＳ２，２ｃＳ１，２ｄＳ２）は、直線形状の部分配線であり、列方向ｙ及び行方向ｘに沿って所定ピッチで繰り返し配設され、列方向ｙに対して傾斜角度＋４５°（第１角度）だけ傾斜している。第２傾斜部（傾斜部分２ａＳ２，２ｂＳ１，２ｃＳ２，２ｄＳ１）は、直線形状の部分配線であり、列方向ｙ及び行方向ｘに沿って上述の所定ピッチで繰り返し配設され、列方向ｙに対して第１傾斜部と逆向きに傾斜している。つまり、第２傾斜部は、列方向ｙに対して傾斜角度−４５°だけ傾斜している。
【００４０】
そして、傾斜部分２ａＳ１，２ａＳ２，２ｂＳ１，２ｂＳ２と、傾斜部分２ｄＳ１，２ｃＳ１，２ｄＳ２，２ｃＳ２とは、それぞれ互いに交差して接続されている。特に、本実施の形態では、傾斜部分２ａＳ１，２ａＳ２，２ｂＳ１，２ｂＳ２と、傾斜部分２ｄＳ１，２ｃＳ１，２ｄＳ２，２ｃＳ２とは、それぞれ互いに直交して接続されており、かつ、これら傾斜部分は、それぞれ中点で交差している。
【００４１】
次に、図８を用いて、ブロック領域Ｃ１に設けられた検出用列配線２の構成についてより詳細に説明する。
【００４２】
この検出用列配線２は、列方向ｙに延在する第１ジグザグ配線２ａ（第１検出用列配線）と、列方向ｙに延在する第２ジグザグ配線２ｂ（第２検出用列配線）と、行方向ｘに延在する第３ジグザグ配線２ｃと、行方向ｘに延在する第４ジグザグ配線２ｄとを備えている。なお、図８においては、１つの第１ジグザグ配線２ａだけ太い破線で示している。
【００４３】
第１ジグザグ配線２ａは、列方向ｙに対して傾斜角度＋４５°で傾斜した傾斜部分２ａＳ１と、列方向ｙに対して傾斜角度−４５°で傾斜した傾斜部分２ａＳ２と、これら傾斜部分を連結する連結部分２ａＰとを有しており、これらは列方向ｙに沿って繰り返し配置されている。第２ジグザグ配線２ｂは、列方向ｙに対して傾斜角度−４５°で傾斜した傾斜部分２ｂＳ１と、列方向ｙに対して傾斜角度＋４５°で傾斜した傾斜部分２ｂＳ２と、これら傾斜部分を連結する連結部分２ｂＰとを有しており、これらは列方向ｙに沿って繰り返し配置されている。なお、第１及び第２ジグザグ配線２ａ，２ｂは、互いに線対称の関係にある。
【００４４】
そして、隣り合う第１及び第２ジグザグ配線２ａ，２ｂのそれぞれの延在方向の両端は、連結部分２Ｐ１で連結されている。なお、図８に示す例では、１つのブロック領域Ｃ１内に、第１及び第２ジグザグ配線２ａ，２ｂが２本ずつ設けられている。
【００４５】
第３ジグザグ配線２ｃは、行方向ｘに対して傾斜角度＋４５°で傾斜した傾斜部分２ｃＳ１と、行方向ｘに対して傾斜角度−４５°で傾斜した傾斜部分２ｃＳ２と、これら傾斜部分を連結する連結部分２ｃＰとを有しており、これらは行方向ｘに沿って繰り返し配置されている。第４ジグザグ配線２ｄは、行方向ｘに対して傾斜角度−４５°で傾斜した傾斜部分２ｄＳ１と、行方向ｘに対して傾斜角度＋４５°で傾斜した傾斜部分２ｄＳ２と、これら傾斜部分を連結する連結部分２ｄＰとを有しており、これらは行方向ｘに沿って繰り返し配置されている。なお、第３及び第４ジグザグ配線２ｃ，２ｄは、互いに線対称の関係にある。
【００４６】
そして、図８に示す例では、１つのブロック領域Ｃ１内に、第３及び第４ジグザグ配線２ｃ，２ｄが２本ずつ設けられている。そのうち、ブロック領域Ｃ１の上端（−ｙ側端）に位置する１つの第３ジグザグ配線２ｃ、及び、ブロック領域Ｃ１の下端（＋ｙ側端）に位置する１つの第４ジグザグ配線２ｄを除いて、隣り合う第３及び第４ジグザグ配線２ｃ，２ｄのそれぞれの延在方向の両端は、連結部分２Ｐ２で連結されている。一方、下端（＋ｙ側端）及び上端（−ｙ側端）に位置する第３及び第４ジグザグ配線２ｃ，２ｄの延在方向の一端（ここでは＋ｘ側端）は、ブロック領域Ｃ１の頂点Ｊｃ２，Ｊｃ１まで延在している。そして、ブロック領域Ｃ１の検出用列配線２は、当該頂点Ｊｃ２，Ｊｃ１において右下側（＋ｘ側及び＋ｙ側）及び右上側（＋ｘ側及び−ｙ側）に位置するブロック領域Ｃ２の検出用列配線２と連結され、電気的に接続されている。
【００４７】
次に、図９を用いて、ブロック領域Ｃ２に設けられた検出用列配線２の構成について説明する。このブロック領域Ｃ２での検出用列配線２は、上述したブロック領域Ｃ１での検出用列配線２と同様に構成されている。ただし、このブロック領域Ｃ２においては、下端（＋ｙ側端）及び上端（−ｙ側端）に位置する第３及び第４ジグザグ配線２ｃ，２ｄの延在方向の他端（ここでは−ｘ側端）が、ブロック領域Ｃ２の頂点Ｊｃ１，Ｊｃ２まで延在している。そして、ブロック領域Ｃ２の検出用列配線２は、当該頂点Ｊｃ１，Ｊｃ２において左下側（−ｘ側及び＋ｙ側）及び左上側（−ｘ側及び−ｙ側）に位置するブロック領域Ｃ１の検出用列配線２と連結され、電気的に接続されている。
【００４８】
次に、ブロック領域Ｒ１，Ｒ２に設けられた検出用行配線３の構成について説明する。なお、ここで説明する検出用行配線３の構成は、基本的には、上述の検出用列配線２の構成と同じである。
【００４９】
図１０及び図１１は、それぞれ、ブロック領域Ｒ１，Ｒ２に設けられた検出用行配線３の構成を示す拡大図である。図１０及び図１１に示すように、ブロック領域Ｒ１，Ｒ２における検出用行配線３は、それぞれが第３傾斜部である傾斜部分３ａＳ１，３ｂＳ２，３ｃＳ１，３ｄＳ２と、それぞれが第４傾斜部である傾斜部分３ａＳ２，３ｂＳ１，３ｃＳ２，３ｄＳ１とを備える。
【００５０】
ここで、第３傾斜部（傾斜部分３ａＳ１，３ｂＳ２，３ｃＳ１，３ｄＳ２）は、直線形状の部分配線であり、列方向ｙ及び行方向ｘに沿って上述の所定ピッチで繰り返し配設され、行方向ｘに対して傾斜角度＋４５°（第２角度）だけ傾斜している。第４傾斜部（傾斜部分３ａＳ２，３ｂＳ１，３ｃＳ２，３ｄＳ１）は、直線形状の部分配線であり、列方向ｙ及び行方向ｘに沿って上述の所定ピッチで繰り返し配設され、行方向ｘに対して第３傾斜部と逆向きに傾斜している。つまり、第４傾斜部は、行方向ｘに対して傾斜角度−４５°だけ傾斜している。
【００５１】
そして、傾斜部分３ａＳ１，３ａＳ２，３ｂＳ１，３ｂＳ２と、傾斜部分３ｄＳ１，３ｃＳ１，３ｄＳ２，３ｃＳ２とは、それぞれ互いに交差して接続されている。特に、本実施の形態では、傾斜部分３ａＳ１，３ａＳ２，３ｂＳ１，３ｂＳ２と、傾斜部分３ｄＳ１，３ｃＳ１，３ｄＳ２，３ｃＳ２とは、それぞれ互いに直交して接続されており、かつ、これら傾斜部分は、それぞれ中点で交差している。
【００５２】
次に、図１０を用いて、ブロック領域Ｒ１に設けられた検出用行配線３の構成についてより詳細に説明する。
【００５３】
この検出用行配線３は、行方向ｘに延在する第５ジグザグ配線３ａ（第１検出用行配線）と、行方向ｘに延在する第６ジグザグ配線３ｂ（第２検出用行配線）と、列方向ｙに延在する第７ジグザグ配線３ｃと、列方向ｙに延在する第８ジグザグ配線３ｄとを備えている。なお、図１０においては、１つの第５ジグザグ配線３ａだけ太い実線で示している。
【００５４】
第５ジグザグ配線３ａは、行方向ｘに対して傾斜角度＋４５°で傾斜した傾斜部分３ａＳ１と、行方向ｘに対して傾斜角度−４５°で傾斜した傾斜部分３ａＳ２と、これら傾斜部分を連結する連結部分３ａＰとを有しており、これらは行方向ｘに沿って繰り返し配置されている。第６ジグザグ配線３ｂは、行方向ｘに対して傾斜角度−４５°で傾斜した傾斜部分３ｂＳ１と、行方向ｘに対して傾斜角度＋４５°で傾斜した傾斜部分３ｂＳ２と、これら傾斜部分を連結する連結部分３ｂＰとを有しており、これらは行方向ｘに沿って繰り返し配置されている。なお、第５及び第６ジグザグ配線３ａ，３ｂは、互いに線対称の関係にある。
【００５５】
そして、隣り合う第５及び第６ジグザグ配線３ａ，３ｂのそれぞれの延在方向の両端は、連結部分３Ｐ１で連結されている。なお、図１０に示す例では、１つのブロック領域Ｒ１内に、第５及び第６ジグザグ配線３ａ，３ｂが２本ずつ設けられている。
【００５６】
第７ジグザグ配線３ｃは、列方向ｙに対して傾斜角度＋４５°で傾斜した傾斜部分３ｃＳ１と、列方向ｙに対して傾斜角度−４５°で傾斜した傾斜部分３ｃＳ２と、これら傾斜部分を連結する連結部分３ｃＰとを有しており、これらは列方向ｙに沿って繰り返し配置されている。第８ジグザグ配線３ｄは、列方向ｙに対して傾斜角度−４５°で傾斜した傾斜部分３ｄＳ１と、列方向ｙに対して傾斜角度＋４５°で傾斜した傾斜部分３ｄＳ２と、これら傾斜部分を連結する連結部分３ｄＰとを有しており、これらは列方向ｙに沿って繰り返し配置されている。なお、第７及び第８ジグザグ配線３ｃ，３ｄは、互いに線対称の関係にある。
【００５７】
そして、図１０に示す例では、１つのブロック領域Ｒ１内に、第７及び第８ジグザグ配線３ｃ，３ｄが２本ずつ設けられている。そのうち、ブロック領域Ｒ１の右端（＋ｘ側端）に位置する１つの第７ジグザグ配線３ｃ、及び、ブロック領域Ｒ１の左端（−ｘ側端）に位置する１つの第８ジグザグ配線３ｄを除いて、隣り合う第７及び第８ジグザグ配線３ｃ，３ｄのそれぞれの延在方向の両端は、連結部分３Ｐ２で連結されている。一方、右端（＋ｘ側端）及び左端（−ｘ側端）に位置する第７及び第８ジグザグ配線３ｃ，３ｄの延在方向の一端（ここでは＋ｙ側端）は、ブロック領域Ｒ１の頂点Ｊｒ２，Ｊｒ１まで延在している。そして、ブロック領域Ｒ１の検出用行配線３は、当該頂点Ｊｒ２，Ｊｒ１において右下側（＋ｘ側及び＋ｙ側）及び左下側（−ｘ側及び＋ｙ側）に位置するブロック領域Ｒ２の検出用行配線３と連結され、電気的に接続されている。
【００５８】
次に、図１１を用いて、ブロック領域Ｒ２に設けられた検出用行配線３の構成について説明する。このブロック領域Ｒ２での検出用行配線３は、上述したブロック領域Ｒ１での検出用行配線３と同様に構成されている。ただし、このブロック領域Ｒ２においては、右端（＋ｘ側端）及び左端（−ｘ側端）に位置する第７及び第８ジグザグ配線３ｃ，３ｄの延在方向の他端（ここでは−ｙ側端）が、ブロック領域Ｒ２の頂点Ｊｒ１，Ｊｒ２まで延在している。そして、ブロック領域Ｒ２の検出用行配線３は、当該頂点Ｊｒ１，Ｊｒ２において右上側（＋ｘ側及び−ｙ側）及び左上側（−ｘ側及び−ｙ側）に位置するブロック領域Ｒ１の検出用行配線３と連結され、電気的に接続されている。
【００５９】
さて、以上のように構成された本実施の形態に係るタッチスクリーン１によれば、列方向束配線６及び行方向束配線７の配線間容量を低減することが可能となっている。以下、このことについて説明する。
【００６０】
列方向束配線６及び行方向束配線７の配線間容量は、（１）検出用列配線２及び検出用行配線３間の交差箇所（図３の破線の円が付された箇所）近傍での結合容量と、（２）検出用列配線２及び検出用行配線３間の連結部分の並走箇所（図３の破線の楕円が付された箇所）近傍での結合容量とからなる。したがって、（１）及び（２）の結合容量を低減することができれば、列方向束配線６及び行方向束配線７の配線間容量を低減できることになる。
【００６１】
このうち、（１）の結合容量を低減するためには、交差箇所の数を減らすことが有効である。なお、この結合容量を低減する構成として、層間絶縁膜１３の厚さを大きくする構成も考えられるが、このように構成しても、列方向束配線６及び行方向束配線７の配線間容量がほとんど低減しなかったことが、発明者らのＴＥＧ（Test Element Group）実験にて確認されている。一方、（２）の結合容量を低減するためには、並走箇所における連結部分同士の間隔（スペース）を大きくすることが有効である。
【００６２】
ここで、図４０に、本実施の形態と対比される、特許文献２に記載のタッチスクリーン（以下「対比タッチスクリーン」と呼ぶ）の構成を示す。この図４０は、対比タッチスクリーンの、上述のグリッドＡに対応する部分（グリッドＡ１）を拡大して示した図である。なお、対比タッチスクリーンにおいて、グリッドＡ１内の検出用列配線２及び検出用行配線３のジグザグを繰り返すピッチ（上述した傾斜部分の所定ピッチ）は、正方形状のグリッドＡ１の一辺の１／４であり、図２に示した本実施の形態に係るグリッドＡ内の検出用列配線２及び検出用行配線３の当該ピッチと等価となっている。
【００６３】
図４１に示されるように、対比タッチスクリーンにおける、グリッドＡ１内の検出用列配線２及び検出用行配線３の交差箇所、つまり破線円が付された箇所の数は、６４（＝８×８）個となる。それに対し、図３に示されるように、本実施の形態に係るタッチスクリーン１における、グリッドＡ内の上述の交差箇所の数は１個のみである。したがって、本実施の形態に係るタッチスクリーン１によれば、対比タッチスクリーンよりも、検出用列配線２及び検出用行配線３の交差箇所を低減することができ、交差箇所全体での結合容量、つまり上述の（１）の結合容量を低減することができる。
【００６４】
一方、図４１に示されるように、対比タッチスクリーンにおける、グリッドＡ１内の連結部分の並走箇所は０個である。それに対し、図３に示されるように、本実施の形態に係るタッチスクリーン１における、グリッドＡ内の破線楕円が付された連結部分の並走箇所の数は２４個となる（ただし、隣接グリッドとの並走箇所に付された楕円については１／２個としてカウントしており、実施の形態２においても同様）。したがって、本実施の形態に係るタッチスクリーン１では、対比タッチスクリーンよりも並走箇所の数が増えていることから、並走箇所全体での結合容量、つまり上述の（２）の結合容量は多少増加することになる。
【００６５】
しかしながら、上述したように、並走箇所における連結部分同士の間隔を大きくすれば、並走箇所での結合容量を低減することができる。例えば、検出用列配線２と検出用行配線３との間隔を１０μｍから１３０μｍに拡大することで、並走箇所における検出用列配線２と検出用行配線の結合容量（配線間容量）を４０％程度減少させることができることが、発明者らのＴＥＧ実験にて確認された。
【００６６】
以上のことから、本実施の形態に係るタッチスクリーン１によれば、並走箇所での結合容量の増加を抑制しつつ、交差箇所での結合容量を低減することができる。その結果、列方向束配線６及び行方向束配線７の配線間容量を低減することができる。
【００６７】
図１２は、本実施の形態に係るタッチスクリーン１の積層構造の例を模式的に示す斜視図である。なお、この図１２では、図１に示した引き出し配線８，９や端子１０の図示は省略している。次に、この図１２を用いてタッチスクリーン１の積層構造について説明する。
【００６８】
図１２に示すように、タッチスクリーン１の上面層は、上述のベース基板１２であり、ベース基板１２上（図１２ではその下面上）には、アルミニウム等の不透明で高導電率の金属配線材料からなる複数の列方向束配線６が形成される。なお、図１２では便宜上、各列方向束配線６は、上述のジグザグパターンを有するように示されておらず、直線で示されている。
【００６９】
そして、ベース基板１２上（図１２ではその下面上）には、全ての列方向束配線６を被覆するように、シリコン窒化膜またはシリコン酸化膜等の透明な層間絶縁膜１３が形成され、その層間絶縁膜１３上（図１２ではその下面上）には、アルミニウム等の不透明で高導電率の金属配線材料からなる複数の行方向束配線７が形成される。なお、図１２では便宜上、各行方向束配線７も、上述のジグザグパターンを有するようには示されておらず、直線で示されている。層間絶縁膜１３上（図１２ではその下面上）には、行方向束配線７を保護するための保護膜１４が形成されている。
【００７０】
なお、ここでは、ベース基板１２上に列方向束配線６、層間絶縁膜１３及び行方向束配線７をこの順に形成した構成について説明したが、配線の配置を逆にした構成、つまり、ベース基板１２上に行方向束配線７、層間絶縁膜１３及び列方向束配線６をこの順に形成した構成であってもよい。
【００７１】
図１３は、図１２に示したタッチスクリーン１とは別の積層構造の例を模式的に示す斜視図である。この図１３に示すタッチスクリーン１は、図１２に示したタッチスクリーン１と上下を逆にして示されている。ここでは、保護膜１４上に粘着層１５を介して保護ガラス１６が粘着固定されている。なお、保護ガラス１６の厚みを数ｍｍ程度にすれば、タッチスクリーン１の強度を向上させることができ、堅牢性に優れたタッチスクリーン１を得ることができる。
【００７２】
図１４は、本実施の形態に係るタッチスクリーン１を備えるタッチパネル１００の全体構成を模式的に示した図である。このタッチパネル１００は、上述のタッチスクリーン１以外に、ＦＰＣ（Flexible Printed Circuit）１７と、コントローラ基板１８と、コントローラ基板１８に搭載されたスイッチ回路１９及び検出処理回路２０とを備えている。
【００７３】
ＦＰＣ１７の各端子は、図示しないＡＣＦ（Anisotropic Conductive Film）等を用いることにより、タッチスクリーン１の対応する端子１０に実装される。このＦＰＣ１７を介して、タッチスクリーン１の検出用配線群（列方向束配線６及び行方向束配線７）と、コントローラ基板１８に搭載されたスイッチ回路１９及び検出処理回路２０などの回路とが電気的に接続される。これにより、タッチスクリーン１がタッチパネル１００の主要構成要素として機能する。
【００７４】
スイッチ回路１９は、複数の列方向束配線６の各々、及び、複数の行方向束配線７の各々を順次に選択する。検出処理回路２０は、タッチスクリーン１をタッチした指示体のタッチ位置を示すタッチスクリーン１におけるタッチ座標を検出する。
【００７５】
ここで、指示体のタッチ座標を検出する方式としては、自己容量検出方式及び相互容量検出方式が考えられる。
【００７６】
自己容量検出方式においては、指示体がタッチスクリーン１の透明なベース基板１２の表面をタッチしたとき（図１２の積層構造をとる場合）、もしくは保護ガラス１６の表面をタッチしたとき（図１３の積層構造をとる場合）に、各検出用列配線２と指示体との間に形成されるタッチ容量と、各検出用行配線３と指示体との間に形成されるタッチ容量とを検出することにより、タッチ座標が検出される。
【００７７】
したがって、自己容量検出方式による検出を実現したい場合には、スイッチ回路１９により選択された列方向束配線６と指示体との間に形成される静電容量、及び、スイッチ回路１９により選択された行方向束配線７と指示体との間に形成される静電容量の検出結果に基づいて、指示体のタッチ座標の算出処理を行うことが可能な回路を、検出処理回路２０とすればよい。そして、検出処理回路２０によって算出されたタッチ座標の値を、検出座標データとして、図示しない外部の装置（例えばコンピュータ）に出力すればよい。
【００７８】
一方、相互容量検出方式においては、指示体がタッチスクリーン１の透明なベース基板１２の表面をタッチしたとき（図１２の積層構造をとる場合）、もしくは保護ガラス１６の表面をタッチしたとき（図１３の積層構造をとる場合）に生じる、タッチ位置における検出用列配線２と検出用行配線３との間の相互容量の変化を検出することにより、タッチ座標が検出される。
【００７９】
したがって、相互容量検出方式による検出を実現したい場合には、タッチスクリーン１への指示体のタッチに応じた、スイッチ回路１９により選択された列方向束配線６と行方向束配線７との間の相互容量の変化の検出結果に基づいて、指示体のタッチ座標の算出処理を行うことが可能な回路を、検出処理回路２０とすればよい。そして、検出処理回路２０によって算出されたタッチ座標の値を、検出座標データとして、図示しない外部の装置（例えばコンピュータ）に出力すればよい。
【００８０】
以上のように構成された本実施の形態に係るタッチスクリーン１及びタッチパネル１００によれば、各ブロック領域Ｃ１，Ｃ２，Ｒ１，Ｒ２には、検出用列配線２のみまたは検出用行配線３のみが設けられ、検出用列配線２のみが設けられたブロック領域Ｃ１，Ｃ２（第１のブロック領域）と、検出用行配線３のみが設けられたブロック領域Ｒ１，Ｒ２（第２のブロック領域）とが、列方向ｙ及び行方向ｘにおいて交互に配置されている。これにより、検出用列配線２と検出用行配線３との交差箇所を低減することができ、列方向束配線６と行方向束配線７との間の配線間容量を低減することができる。
【００８１】
また、本実施の形態では、斜めに隣接する第１のブロック領域（例えばブロック領域Ｃ１，Ｃ２）間を斜めにつなぐ１本の検出用列配線２と、これと相補的に斜めに隣接する第２のブロック領域（例えばブロック領域Ｒ１，Ｒ２）間を斜めにつなぐ１本の検出用行配線３とが立体的に交差している。これにより、対比タッチスクリーンよりも列方向束配線６と行方向束配線７との間の配線間容量を低減することができる。
【００８２】
特に、本実施の形態では、交差領域Ａ（グリッドＡ）において、検出用列配線２と検出用行配線３との立体交差を１箇所のみ備えることから、列方向束配線６と行方向束配線７との間の配線間容量を適切に低減することができる。
【００８３】
また、本実施の形態によれば、指示体のタッチに応じた、列方向束配線６と行方向束配線７との間の電界変化（相互容量変化）に基づいてタッチ座標を検出する、いわゆる相互容量検出方式などを用いる構成においても、配線間容量（電界結合）を上述と同様に低減することができる。したがって、高感度のタッチスクリーン１を実現することができる。
【００８４】
また、本実施の形態によれば、特許文献５に開示されているような構成、つまり、駆動電圧が相互容量（交差箇所の行列配線間容量）と既知の基準容量によって容量分割された電圧が差動増幅器の入力に印加される容量測定回路を適用する構成においても、基準容量に対する行列配線間容量を上述と同様に低減することができる。したがって、容量分割された電圧を抑制することができることから、回路のダイナミックレンジを有効に使用して、検出を行うことができる。また、列方向束配線６と行方向束配線７との配線間容量に応じた基準容量を抑制することができるので、検出用列配線２及び検出用行配線３の配線抵抗と、行列間容量及び基準容量との合成容量を抑えることができる。よって、充放電に伴う検出出力電圧の整定時間を短縮する、つまり検出時間を短縮することができ、タッチパネル１００の応答を向上することができる。
【００８５】
また、本実施の形態によれば、各ブロック領域Ｃ１，Ｃ２における検出用列配線２は、第１傾斜部（例えば傾斜部分２ａＳ１，２ｂＳ２，２ｃＳ１，２ｄＳ２）及び第２傾斜部（例えば傾斜部分２ａＳ２，２ｂＳ１，２ｃＳ２，２ｄＳ１）を列方向ｙ及び行方向ｘに沿って所定ピッチで備えている。そして、各ブロック領域Ｒ１，Ｒ２における検出用行配線３は、第３傾斜部（例えば傾斜部分３ａＳ１，３ｂＳ２，３ｃＳ１，３ｄＳ２）及び第４傾斜部（例えば傾斜部分３ａＳ２，３ｂＳ１，３ｃＳ２，３ｄＳ１）を列方向ｙ及び行方向ｘに沿って所定ピッチで備えている。したがって、検出用列配線２の配置、及び、検出用行配線３の配置を均一化することができる。
【００８６】
ここで、このような本実施の形態に係るタッチスクリーン１を、液晶表示パネルなどの表示パネルに装着すると、表示パネルの各画素の一部が、検出用列配線２及び検出用行配線３により均一に覆われる。その結果、検出用列配線２及び検出用行配線３が不透明な高導電性材料で形成された場合であっても、表示パネル全体から出射された表示光がタッチスクリーン１を通り抜ける際の透過率を均一化することができ、モワレ縞の発生を抑制することができる。
【００８７】
また、本実施の形態によれば、第１傾斜部及び第２傾斜部は互いに直交し、第３傾斜部及び第４傾斜部は互いに直交しており、それらの傾斜角度は±４５°となっている。したがって、検出用列配線２の配置、及び、検出用行配線３の配置がより均一化される。よって、タッチスクリーン１の透過率をより均一化することができ、モワレ縞の発生をより抑制することができる。
【００８８】
また、本実施の形態によれば、第１傾斜部及び第２傾斜部はそれぞれ中点で交差し、第３傾斜部及び第４傾斜部はそれぞれ中点で交差しているので、検出用列配線２の配置、及び、検出用行配線３の配置がより均一化される。したがって、タッチスクリーン１の透過率をより均一化することができ、モワレ縞の発生をより抑制することができる。
【００８９】
＜実施の形態２＞
本発明の実施の形態２においては、ブロック領域Ｃ１，Ｃ２，Ｒ１，Ｒ２に設けられた検出用列配線２及び検出用行配線３の形状が、実施の形態１と異なっている。
【００９０】
図１５は、本実施の形態においてグリッドＡ周辺を拡大した図である。ここでは、実施の形態１と同様に、グリッドＡを分割してなる複数（ここでは４つ）の四角形状のブロック領域Ｃ１，Ｃ２，Ｒ１，Ｒ２が規定されており、ブロック領域Ｃ１，Ｃ２（第１のブロック領域）のそれぞれには検出用列配線２のみが設けられ、ブロック領域Ｒ１，Ｒ２（第２のブロック領域）のそれぞれには検出用行配線３のみが設けられている。また、検出用列配線２が設けられるブロック領域Ｃ１，Ｃ２と、検出用行配線３が設けられるブロック領域Ｒ１，Ｒ２とが、全体として列方向ｙ及び行方向ｘにおいて交互に配置されており、チェッカーパターンを成している。
【００９１】
また、実施の形態１と同様に、１つのグリッドＡにおいて、検出用列配線２と検出用行配線３との立体交差を、図１６において破線の円が付された１箇所（ブロック領域Ｃ１，Ｃ２，Ｒ１，Ｒ２が接する１箇所）においてのみ備えるものとなっている。つまり、図１６において破線の円が付された箇所では、ブロック領域Ｃ１の１本の検出用列配線２と、ブロック領域Ｃ２の１本の検出用列配線２とが連結されているとともに、ブロック領域Ｒ１の１本の検出用行配線３と、ブロック領域Ｒ２の１本の検出用行配線３とが連結されている。
【００９２】
そして、図１６において破線の三角形が付された箇所では、ブロック領域Ｒ１の１本の検出用行配線３と、ブロック領域Ｒ２の１本の検出用行配線３とは連結されているが、ブロック領域Ｃ１の検出用列配線２と、ブロック領域Ｃ２の検出用列配線２とは、その連結部分を挟むように配置されており、非連結となっている。また、図１６において破線の四角形が付された箇所では、ブロック領域Ｃ１の１本の検出用列配線２と、ブロック領域Ｃ２の１本の検出用列配線２とは連結されているが、ブロック領域Ｒ１の検出用行配線３と、ブロック領域Ｒ２の検出用行配線３とは、その連結部分を挟むように配置され非連結となっている。また、図１６において実線の円が付された４箇所Ｏ１〜Ｏ４では、ブロック領域Ｃ１，Ｃ２の検出用列配線２同士は離間されて非連結となっており、かつ、ブロック領域Ｒ１，Ｒ２の検出用行配線３同士は離間されて非連結となっている。
【００９３】
図１７及び図１８は、それぞれ、ブロック領域Ｃ１，Ｃ２での検出用列配線２の構成を示す拡大図である。図１７及び図１８に示すように、ブロック領域Ｃ１，Ｃ２における検出用列配線２は、それぞれが第１傾斜部である傾斜部分２ａＳ１，２ｂＳ２と、それぞれが第２傾斜部である傾斜部分２ａＳ２，２ｂＳ１とを備える。
【００９４】
ここで、第１傾斜部（傾斜部分２ａＳ１，２ｂＳ２）は、一端が連結点Ｊ１に接続された直線形状の部分配線であり、列方向ｙ及び行方向ｘに沿って所定ピッチで繰り返し配設され、列方向ｙに対して傾斜角度＋４５°（第１角度）だけ傾斜している。なお、本実施の形態における図面上での列方向ｙに対する傾斜角度の正方向は、実施の形態１における図面上での列方向ｙに対する傾斜角度の正方向と逆になっている。
【００９５】
第２傾斜部（傾斜部分２ａＳ２，２ｂＳ１）は、一端が連結点Ｊ１に接続された直線形状の部分配線であり、列方向ｙ及び行方向ｘに沿って上述の所定ピッチで繰り返し配設され、列方向ｙに対して第１傾斜部と逆向きに傾斜している。つまり、第２傾斜部は、列方向ｙに対して傾斜角度−４５°だけ傾斜している。
【００９６】
次に、図１７を用いて、ブロック領域Ｃ１に設けられた検出用列配線２の構成についてより詳細に説明する。
【００９７】
この検出用列配線２は、列方向ｙに延在する第１ジグザグ配線２ａ（第１検出用列配線）と、列方向ｙに延在する第２ジグザグ配線２ｂ（第２検出用列配線）とを備えている。なお、図１７においては、１つの第１ジグザグ配線２ａだけ太い破線で示している。また、検出用列配線２は、第１ジグザグ配線２ａと第２ジグザグ配線２ｂとを接続する分岐配線２ｅ（第１分岐配線）も備えている。
【００９８】
第１ジグザグ配線２ａは、列方向ｙに対して傾斜角度＋４５°で傾斜した傾斜部分２ａＳ１と、列方向ｙに対して傾斜角度−４５°で傾斜した傾斜部分２ａＳ２と、これら傾斜部分を連結する連結部分２Ｐ２及び連結点Ｊ１とを有しており、これらは列方向ｙに沿って繰り返し配置されている。第２ジグザグ配線２ｂは、列方向ｙに対して傾斜角度−４５°で傾斜した傾斜部分２ｂＳ１と、列方向ｙに対して傾斜角度＋４５°で傾斜した傾斜部分２ｂＳ２と、これら傾斜部分を連結する連結点Ｊ１，Ｊ２とを有しており、これらは列方向ｙに沿って繰り返し配置されている。なお、第１及び第２ジグザグ配線２ａ，２ｂは、互いに線対称の関係にある。
【００９９】
また、第１及び第２ジグザグ配線２ａ，２ｂは、行方向ｘに沿ってブロック領域Ｃ１内に交互に配設されており、連結点Ｊ１、連結部分２Ｐ１及び連結点Ｊ２により連結されている。なお、本実施の形態では、一方の１組の第１及び第２ジグザグ配線２ａ，２ｂと、他方の１組の第１及び第２ジグザグ配線２ａ，２ｂとが、ブロック領域Ｃ１の列方向ｙに沿った中心線において互いに左右線対称な位置に配置されている。
【０１００】
また、右端（＋ｘ側端）に位置する第２ジグザグ配線２ｂの延在方向の両端（−ｙ側端及び＋ｙ側端）が、ブロック領域Ｃ１の頂点Ｊｃ２，Ｊｃ１まで延在している。そして、ブロック領域Ｃ１の検出用列配線２は、当該頂点Ｊｃ２，Ｊｃ１において右下側（＋ｘ側及び＋ｙ側）及び右上側（＋ｘ側及び−ｙ側）に位置するブロック領域Ｃ２の検出用列配線２と連結され、電気的に接続されている。
【０１０１】
分岐配線２ｅは、第１傾斜部（傾斜部分２ａＳ１，２ｂＳ２）と同様の傾斜部（傾斜部分２ｅＳ２，２ｅＳ３）と、第２傾斜部（傾斜部分２ａＳ２，２ｂＳ１）と同様の傾斜部（傾斜部分２ｅＳ１，２ｅＳ４）と、傾斜部分２ｅＳ１〜２ｅＳ４を２つずつ連結する連結部分２ｅＰとを有している。このように構成された分岐配線２ｅにおいては、傾斜部分２ｅＳ２，２ｅＳ３は、傾斜部分２ａＳ１，２ｂＳ２と平行となっており、傾斜部分２ｅＳ１，２ｅＳ４は、傾斜部分２ａＳ２，２ｂＳ１と平行となっている。
【０１０２】
次に、図１８を用いて、ブロック領域Ｃ２に設けられた検出用列配線２の構成について説明する。このブロック領域Ｃ２での検出用列配線２は、上述したブロック領域Ｃ１での検出用列配線２と同様に構成されている。ただし、このブロック領域Ｃ２においては、左端（−ｘ側端）に位置する第１ジグザグ配線２ａの延在方向の両端（ここでは−ｙ側端及び＋ｙ側端）が、ブロック領域Ｃ２の頂点Ｊｃ１，Ｊｃ２まで延在している。そして、ブロック領域Ｃ２の検出用列配線２は、当該頂点Ｊｃ１，Ｊｃ２において左下側（−ｘ側及び＋ｙ側）及び左上側（−ｘ側及び−ｙ側）に位置するブロック領域Ｃ１の検出用列配線２と連結され、電気的に接続されている。また、ブロック領域Ｃ１，Ｃ２検出用列配線２は、それぞれの連結点Ｊ２を中心に９０°回転させても回転前後の形状はほぼ同じとなっており、連結点Ｊ２に対して点対称となっている。
【０１０３】
図１９及び図２０は、それぞれ、ブロック領域Ｒ１，Ｒ２での検出用行配線３の構成を示す拡大図である。ブロック領域Ｒ１，Ｒ２での検出用行配線３の構成は、図１７及び図１８に示したブロック領域Ｃ１，Ｃ２での検出用列配線２と同様の構成を有している。
【０１０４】
つまり、ブロック領域Ｒ１，Ｒ２における検出用行配線３は、列方向ｙ及び行方向ｘに沿って上述の所定ピッチで繰り返し配設され、行方向ｘに対して傾斜角度＋４５°で傾斜した第３傾斜部（傾斜部分３ａＳ１，３ｂＳ２）と、列方向ｙ及び行方向ｘに沿って上述の所定ピッチで繰り返し配設され、行方向ｘに対して傾斜角度−４５°で傾斜した第４傾斜部（傾斜部分３ａＳ２，３ｂＳ１）とを備える。そして、ブロック領域Ｒ１，Ｒ２に設けられた検出用行配線３は、傾斜部分３ａＳ１，３ａＳ２を有する行方向ｘに延在する第５ジグザグ配線３ａ（第１検出用行配線）と、傾斜部分３ｂＳ１，３ｂＳ２を有する行方向ｘに延在する第６ジグザグ配線３ｂ（第２検出用行配線）とを備えている。なお、第５及び第６ジグザグ配線３ａ，３ｂは、互いに線対称の関係にある。
【０１０５】
また、ブロック領域Ｒ１，Ｒ２に設けられた検出用行配線３は、第５ジグザグ配線３ａと第６ジグザグ配線３ｂとを接続する分岐配線３ｅ（第２分岐配線）も備えている。この分岐配線３ｅは、第３傾斜部（傾斜部分３ａＳ１，３ｂＳ２）と同様の傾斜部（傾斜部分３ｅＳ１，３ｅＳ４）と、第４傾斜部（傾斜部分３ａＳ２，３ｂＳ１）と同様の傾斜部（傾斜部分３ｅＳ２，３ｅＳ３）とを有している。
【０１０６】
ただし、ブロック領域Ｒ１の検出用行配線３の左下側（−ｘ側及び＋ｙ側）及び右下側（＋ｘ側及び＋ｙ側）の部分は、それぞれブロック領域Ｒ１の頂点Ｊｒ１，Ｊｒ２まで延在している。そして、ブロック領域Ｒ１の検出用行配線３は、当該頂点Ｊｒ１，Ｊｒ２において左下側（−ｘ側及び＋ｙ側）及び右下側（＋ｘ側及び＋ｙ側）に位置するブロック領域Ｒ２の検出用行配線３と連結されている。また、ブロック領域Ｒ２の検出用行配線３の左上側（−ｘ側及び−ｙ側）及び右上側（＋ｘ側及び−ｙ側）の部分は、それぞれブロック領域Ｒ２の頂点Ｊｒ２，Ｊｒ１まで延在している。そして、ブロック領域Ｒ２の検出用行配線３は、当該頂点Ｊｒ１，Ｊｒ２において左上側（−ｘ側及び−ｙ側）及び右上側（＋ｘ側及び−ｙ側）に位置するブロック領域Ｒ１の検出用行配線３と連結されている。
【０１０７】
ここで、図２１に、本実施の形態に係るタッチスクリーンのうち、上述とは別のタッチスクリーン（以下「別タッチスクリーン」と呼ぶ）の構成を示す。この図２１は、別タッチスクリーンのグリッドＡを拡大して示した図である。後述するように、この図２１に示す別タッチスクリーンにおいては、図１５に示すタッチスクリーン１よりも、グリッドＡにおけるブロック領域の個数が多くなっている。なお、別タッチスクリーンにおいて、グリッドＡ内の検出用列配線２及び検出用行配線３のジグザグを繰り返すピッチ（上述した傾斜部分の所定ピッチ）は、正方形状のグリッドＡの一辺の１／４であり、図１５に示したグリッドＡ内の検出用列配線２及び検出用行配線３の当該ピッチと等価となっている。
【０１０８】
図２２は、図２１に示した別タッチスクリーンのブロック領域Ｃ１〜Ｃ８における検出用列配線２の基本配線パターンを示す図である。なお、この図２２は検出用列配線２について示しているが、検出用行配線３についても同様である。
【０１０９】
図２２に示す基本配線パターンは、傾斜部分２ｊＳ１，２ｊＳ２とそれらを連結する連結点Ｊとからなるジグザグ配線ｊと、傾斜部分２ｋＳ１，２ｋＳ２とそれらを連結する連結点Ｊとからなるジグザグ配線ｋと、傾斜部分２ｅＳ１〜２ｅＳ４とそれらを連結する連結部分２ｅＰとからなる分岐配線ｅとからなる。なお、ジグザグ配線ｊとジグザグ配線ｋとは連結点Ｊ５で連結されている。分岐配線ｅは、全体として略菱形形状に配置されており、分岐配線ｅの各傾斜部分は、ジグザグ配線ｊ，ｋの傾斜部分のいずれかと直交している。なお、図２２からも分かるように、別タッチスクリーンにおいては、ブロック領域の一辺は、傾斜部分（第１〜第４傾斜部）の所定ピッチと等しくなっている。
【０１１０】
このように構成された図２１及び図２２に示す別タッチスクリーンにおいては、上述したように、図１５に示すタッチスクリーン１よりも、グリッドＡに規定されたブロック領域の個数が多くなっている。具体的には、図２１に示した１つのグリッドＡ内においては、列方向ｙ及び行方向ｘにそれぞれ４個ずつ合計１６個のブロック領域が設けられている。これに対して、図１５に示した１つのグリッドＡ内においては、列方向ｙ及び行方向ｘにそれぞれ２個ずつ合計４個のブロック領域が設けられている。
【０１１１】
次に、図２３及び図１６を用いて、図２１に示した別タッチスクリーンと図１５に示したタッチスクリーン１とを比較した結果について説明する。図２３に示されるように、別タッチスクリーンにおける、グリッドＡ内の検出用列配線２及び検出用行配線３の交差箇所、つまり破線円で示される箇所の数は、９（＝３×３）個である。それに対して、図１６に示されるように、図１５に係るタッチスクリーン１における、グリッドＡ内の上述の交差箇所の数は１個のみである。
【０１１２】
また、図２３に示されるように、別タッチスクリーンにおける、グリッドＡ内の連結部分の並走箇所、つまり破線楕円で示される箇所の数は３２個である。それに対して、図１６に示されるように、図１５に係るタッチスクリーン１における、グリッドＡ内の上述の並走箇所の数は２４個である。
【０１１３】
以上のことからわかるように、グリッドＡ内のブロック領域の個数が少なくなると、検出用列配線２及び検出用行配線３の交差箇所が減ることから、交差箇所全体での結合容量（上述の（１）の結合容量）を低減する効果を高めることができるとともに、連結部分の並走箇所も減ることから、並走箇所全体での結合容量（上述の（２）の結合容量）を低減する効果も高めることができる。したがって、上述の（１）及び（２）の結合容量を低減して、列方向束配線６及び行方向束配線７の配線間容量を低減する効果を高めるためには、図１５のように、ブロック領域の一辺を傾斜部分（第１〜第４傾斜部）の所定ピッチよりも長くして、グリッドＡ内のブロック領域の個数を少なくすることが望ましい。
【０１１４】
ここで、本実施の形態に係るタッチスクリーン１における配線間容量の傾向を図２４に示す。これは、発明者らが行ったＴＥＧ評価の結果である。ここでは、グリッドＡの横及び縦のサイズをそれぞれ５ｍｍ程度とし、基本パターンの縦横サイズ（ジグザグ配線の繰り返しピッチ）を２５０μｍとした場合の配線間容量と、同縦横サイズをそれぞれ５００μｍとした場合の配線間容量とを示している。なお、連結部分の並走箇所の長さ及び間隔はともに２０μｍ程度としている。
【０１１５】
この図２４は、上述の比較結果と整合がとれた結果を示している。つまり、ブロック領域当たりの基本パターン数を多くすることは、ブロック領域の一辺を傾斜部分（第１〜第４傾斜部）の所定ピッチよりも長くすることになるが、いずれの場合であっても、列方向束配線６及び行方向束配線７の配線間容量を低減する効果が高くなることが示されている。
【０１１６】
ただし、もちろん、グリッドＡ内における、検出用列配線２が設けられたブロック領域の数と、検出用行配線３が設けられたブロック領域の数を２個ずつとしなくても、相当の効果を得ることは可能であることから、その個数に限ったものではない。
【０１１７】
また、以上に説明したように、本実施の形態では、第１ジグザグ配線２ａと第２ジグザグ配線２ｂとを電気的に接続する分岐配線２ｅと、第５ジグザグ配線３ａと第６ジグザグ配線３ｂとを電気的に接続する分岐配線３ｅとを備えている。したがって、複数の検出用列配線２及び複数の検出用行配線３の一箇所に断線が生じた場合に、列方向束配線６及び行方向束配線７の抵抗が高くなるのを抑制することができる。よって、信頼性の高いタッチ位置検出が可能となる。
【０１１８】
また、分岐配線２ｅ，３ｅは、第１及び第２傾斜部と同様の傾斜部を有している。したがって、検出用列配線２の配置、及び、検出用行配線３の配置を均一化することができる。よって、検出用列配線２及び検出用行配線３が不透明な高導電性材料で形成された場合であっても、表示パネルが出射した表示光がタッチスクリーン１を通り抜ける際の透過率を均一化することができ、モワレ縞の発生を抑制することができる。
【０１１９】
＜実施の形態３＞
上記実施の形態１，２においては、グリッドＡを構成する各ブロック領域Ｃ１，Ｃ２に設けられた検出用列配線２は、第１及び第２ジグザグ配線２ａ，２ｂの組を２組含み、当該グリッドＡを構成する各ブロック領域Ｒ１，Ｒ２に設けられた検出用行配線３は、第５及び第６ジグザグ配線３ａ，３ｂの組を２組含むものであった。しかしながら、各ブロック領域に含まれるこれらジグザグ配線の組は２組に限定されるものではなく、３組以上であっても同様に実施することが可能である。そこで、本実施の形態では、これらジグザグ配線の組を奇数組（ここでは３組）含む構成について説明する。
【０１２０】
図２５は、本実施の形態においてグリッドＡ周辺を拡大した図である。ここでは、実施の形態１、２と同様に、グリッドＡを分割してなる複数（ここでは４つ）の四角形状のブロック領域Ｃ１，Ｃ２，Ｒ１，Ｒ２が規定されており、ブロック領域Ｃ１，Ｃ２（第１のブロック領域）のそれぞれには検出用列配線２のみが設けられ、ブロック領域Ｒ１，Ｒ２（第２のブロック領域）のそれぞれには検出用行配線３のみが設けられている。また、検出用列配線２が設けられるブロック領域Ｃ１，Ｃ２と、検出用行配線３が設けられるブロック領域Ｒ１，Ｒ２とが、全体として列方向ｙ及び行方向ｘにおいて交互に配置されており、チェッカーパターンを成している。
【０１２１】
また、実施の形態１、２と同様に、１つのグリッドＡにおいて、検出用列配線２と検出用行配線３との立体交差を、図２６において破線の円が付された１箇所（ブロック領域Ｃ１，Ｃ２，Ｒ１，Ｒ２が接する１箇所）においてのみ備えるものとなっている。つまり、図２６において破線の円が付された箇所では、ブロック領域Ｃ１の１本の検出用列配線２と、ブロック領域Ｃ２の１本の検出用列配線２とが連結されているとともに、ブロック領域Ｒ１の１本の検出用行配線３と、ブロック領域Ｒ２の１本の検出用行配線３とが連結されている。
【０１２２】
そして、図２６において破線の三角形が付された箇所では、ブロック領域Ｒ１の１本の検出用行配線３と、ブロック領域Ｒ２の１本の検出用行配線３とは連結されているが、ブロック領域Ｃ１の検出用列配線２と、ブロック領域Ｃ２の検出用列配線２とは、その連結部分を挟むように配置されており、非連結となっている。また、図２６において破線の四角形が付された箇所では、ブロック領域Ｃ１の１本の検出用列配線２と、ブロック領域Ｃ２の１本の検出用列配線２とは連結されているが、ブロック領域Ｒ１の検出用行配線３と、ブロック領域Ｒ２の検出用行配線３とは、その連結部分を挟むように配置され非連結となっている。また、図２６において実線の円が付された４箇所Ｏ１〜Ｏ４では、ブロック領域Ｃ１，Ｃ２の検出用列配線２同士は離間されて非連結となっており、かつ、ブロック領域Ｒ１，Ｒ２の検出用行配線３同士は離間されて非連結となっている。
【０１２３】
図２７及び図２８は、それぞれ、ブロック領域Ｃ１，Ｃ２での検出用列配線２の構成を示す拡大図である。図２７及び図２８に示すように、ブロック領域Ｃ１，Ｃ２における検出用列配線２は、それぞれが第１傾斜部である傾斜部分２ａＳ１，２ｂＳ２と、それぞれが第２傾斜部である傾斜部分２ａＳ２，２ｂＳ１とを備える。
【０１２４】
ここで、第１傾斜部（傾斜部分２ａＳ１，２ｂＳ２）は、一端が連結点Ｊ１に接続された直線形状の部分配線であり、列方向ｙ及び行方向ｘに沿って所定ピッチで繰り返し配設され、列方向ｙに対して傾斜角度＋４５°（第１角度）だけ傾斜している。なお、本実施の形態における図面上での列方向ｙに対する傾斜角度の正方向は、実施の形態１における図面上での列方向ｙに対する傾斜角度の正方向と逆になっている。
【０１２５】
第２傾斜部（傾斜部分２ａＳ２，２ｂＳ１）は、一端が連結点Ｊ１に接続された直線形状の部分配線であり、列方向ｙ及び行方向ｘに沿って上述の所定ピッチで繰り返し配設され、列方向ｙに対して第１傾斜部と逆向きに傾斜している。つまり、第２傾斜部は、列方向ｙに対して傾斜角度−４５°だけ傾斜している。
【０１２６】
次に、図２７を用いて、ブロック領域Ｃ１に設けられた検出用列配線２の構成についてより詳細に説明する。
【０１２７】
この検出用列配線２は、列方向ｙに延在する第１ジグザグ配線２ａ（第１検出用列配線）と、列方向ｙに延在する第２ジグザグ配線２ｂ（第２検出用列配線）とを備えている。なお、図２７においては、１つの第１ジグザグ配線２ａだけ太い破線で示している。また、検出用列配線２は、第１ジグザグ配線２ａと第２ジグザグ配線２ｂとを接続する分岐配線２ｅ（第１分岐配線）も備えている。
【０１２８】
第１ジグザグ配線２ａは、列方向ｙに対して傾斜角度＋４５°で傾斜した傾斜部分２ａＳ１と、列方向ｙに対して傾斜角度−４５°で傾斜した傾斜部分２ａＳ２と、これら傾斜部分を連結する連結部分２Ｐ２及び連結点Ｊ１とを有しており、これらは列方向ｙに沿って繰り返し配置されている。第２ジグザグ配線２ｂは、列方向ｙに対して傾斜角度−４５°で傾斜した傾斜部分２ｂＳ１と、列方向ｙに対して傾斜角度＋４５°で傾斜した傾斜部分２ｂＳ２と、これら傾斜部分を連結する連結点Ｊ１，Ｊ２とを有しており、これらは列方向ｙに沿って繰り返し配置されている。なお、第１及び第２ジグザグ配線２ａ，２ｂは、互いに線対称の関係にある。
【０１２９】
また、第１及び第２ジグザグ配線２ａ，２ｂは、行方向ｘに沿ってブロック領域Ｃ１内に交互に配設されており、連結点Ｊ１、連結部分２Ｐ１及び連結点Ｊ２により連結されている。なお、本実施の形態では、３組の第１及び第２ジグザグ配線２ａ，２ｂが行方向ｘに沿って配設されており、１組目の第１ジグザグ配線２ａ及び第２ジグザグ配線２ｂ並びに２組目の第１ジグザグ配線２ａと、３組目の第２ジグザグ配線２ｂ及び第１ジグザグ配線２ａ並びに２組目の第２ジグザグ配線２ｂとが、ブロック領域Ｃ１の列方向ｙに沿った中心線において互いに左右線対称な位置に配置されている。
【０１３０】
また、右端（＋ｘ側端）に位置する第２ジグザグ配線２ｂの延在方向の両端（−ｙ側端及び＋ｙ側端）が、ブロック領域Ｃ１の頂点Ｊｃ２，Ｊｃ１まで延在している。そして、ブロック領域Ｃ１の検出用列配線２は、当該頂点Ｊｃ２，Ｊｃ１において右下側（＋ｘ側及び＋ｙ側）及び右上側（＋ｘ側及び−ｙ側）に位置するブロック領域Ｃ２の検出用列配線２と連結され、電気的に接続されている。
【０１３１】
分岐配線２ｅは、第１傾斜部（傾斜部分２ａＳ１，２ｂＳ２）と同様の傾斜部（傾斜部分２ｅＳ２，２ｅＳ３）と、第２傾斜部（傾斜部分２ａＳ２，２ｂＳ１）と同様の傾斜部（傾斜部分２ｅＳ１，２ｅＳ４）と、傾斜部分２ｅＳ１〜２ｅＳ４を２つずつ連結する連結部分２ｅＰとを有している。このように構成された分岐配線２ｅにおいては、傾斜部分２ｅＳ２，２ｅＳ３は、傾斜部分２ａＳ１，２ｂＳ２と平行となっており、傾斜部分２ｅＳ１，２ｅＳ４は、傾斜部分２ａＳ２，２ｂＳ１と平行となっている。
【０１３２】
次に、図２８を用いて、ブロック領域Ｃ２に設けられた検出用列配線２の構成について説明する。このブロック領域Ｃ２での検出用列配線２は、上述したブロック領域Ｃ１での検出用列配線２と同様に構成されている。ただし、このブロック領域Ｃ２においては、左端（−ｘ側端）に位置する第１ジグザグ配線２ａの延在方向の両端（ここでは−ｙ側端及び＋ｙ側端）が、ブロック領域Ｃ２の頂点Ｊｃ１，Ｊｃ２まで延在している。そして、ブロック領域Ｃ２の検出用列配線２は、当該頂点Ｊｃ１，Ｊｃ２において左下側（−ｘ側及び＋ｙ側）及び左上側（−ｘ側及び−ｙ側）に位置するブロック領域Ｃ１の検出用列配線２と連結され、電気的に接続されている。また、ブロック領域Ｃ１，Ｃ２の検出用列配線２は、それぞれの中心に位置する連結点Ｊ１を中心に９０°回転させても回転前後の形状はほぼ同じとなっており、連結点Ｊ１に対して点対称となっている。
【０１３３】
図２９及び図３０は、それぞれ、ブロック領域Ｒ１，Ｒ２での検出用行配線３の構成を示す拡大図である。ブロック領域Ｒ１，Ｒ２での検出用行配線３の構成は、図２７及び図２８に示したブロック領域Ｃ１，Ｃ２での検出用列配線２と同様の構成を有している。
【０１３４】
つまり、ブロック領域Ｒ１，Ｒ２における検出用行配線３は、列方向ｙ及び行方向ｘに沿って上述の所定ピッチで繰り返し配設され、行方向ｘに対して傾斜角度＋４５°で傾斜した第３傾斜部（傾斜部分３ａＳ１，３ｂＳ２）と、列方向ｙ及び行方向ｘに沿って上述の所定ピッチで繰り返し配設され、行方向ｘに対して傾斜角度−４５°で傾斜した第４傾斜部（傾斜部分３ａＳ２，３ｂＳ１）とを備える。そして、ブロック領域Ｒ１，Ｒ２に設けられた検出用行配線３は、傾斜部分３ａＳ１，３ａＳ２を有する行方向ｘに延在する第５ジグザグ配線３ａ（第１検出用行配線）と、傾斜部分３ｂＳ１，３ｂＳ２を有する行方向ｘに延在する第６ジグザグ配線３ｂ（第２検出用行配線）とを備えている。なお、第５及び第６ジグザグ配線３ａ，３ｂは、互いに線対称の関係にある。
【０１３５】
また、ブロック領域Ｒ１，Ｒ２に設けられた検出用行配線３は、第５ジグザグ配線３ａと第６ジグザグ配線３ｂとを接続する分岐配線３ｅ（第２分岐配線）も備えている。この分岐配線３ｅは、第３傾斜部（傾斜部分３ａＳ１，３ｂＳ２）と同様の傾斜部（傾斜部分３ｅＳ１，３ｅＳ４）と、第４傾斜部（傾斜部分３ａＳ２，３ｂＳ１）と同様の傾斜部（傾斜部分３ｅＳ２，３ｅＳ３）とを有している。
【０１３６】
ただし、ブロック領域Ｒ１の検出用行配線３の左下側（−ｘ側及び＋ｙ側）及び右下側（＋ｘ側及び＋ｙ側）の部分は、それぞれブロック領域Ｒ１の頂点Ｊｒ１，Ｊｒ２まで延在している。そして、ブロック領域Ｒ１の検出用行配線３は、当該頂点Ｊｒ１，Ｊｒ２において左下側（−ｘ側及び＋ｙ側）及び右下側（＋ｘ側及び＋ｙ側）に位置するブロック領域Ｒ２の検出用行配線３と連結されている。また、ブロック領域Ｒ２の検出用行配線３の左上側（−ｘ側及び−ｙ側）及び右上側（＋ｘ側及び−ｙ側）の部分は、それぞれブロック領域Ｒ２の頂点Ｊｒ２，Ｊｒ１まで延在している。そして、ブロック領域Ｒ２の検出用行配線３は、当該頂点Ｊｒ１，Ｊｒ２において左上側（−ｘ側及び−ｙ側）及び右上側（＋ｘ側及び−ｙ側）に位置するブロック領域Ｒ１の検出用行配線３と連結されている。
【０１３７】
このように、実施の形態１、２においては、ブロック領域Ｃ１，Ｃ２のそれぞれには、第１ジグザグ配線２ａ及び第２ジグザグ配線２ｂの組を２組設けるように構成したが、本実施の形態においては、第１ジグザグ配線２ａ及び第２ジグザグ配線２ｂの組を３組設ける構成とする。同様に、ブロック領域Ｒ１，Ｒ２のそれぞれには、第１ジグザグ配線３ａ及び第２ジグザグ配線３ｂの組を３組設ける構成とする。
【０１３８】
以上のように、実施の形態１，２同様、本実施の形態によれば、列方向束配線６及び行方向束配線７の交差領域（グリッドＡ）を複数のブロック領域に分割し、それぞれのブロック領域には検出用列配線２か検出用行配線３のいずれか一方のみしか含まないようにし、検出用列配線２のみを含むブロック領域と検出用行配線３のみを含むブロック領域とは行列方向に交互に配置されるように構成した。これにより、検出用列配線２と検出用行配線３の交差数を大幅に減少することが可能となり、交差部周辺での検出用列配線２と検出用行配線３との線間容量を低減することができる。
【０１３９】
＜実施の形態４＞
以上で説明したブロック領域Ｃ１，Ｃ２に設けられた検出用列配線２と、ブロック領域Ｒ１，Ｒ２に設けられた検出用行配線３とは、別の配線層の配線である。そのため、各ブロック領域Ｃ１，Ｃ２，Ｒ１，Ｒ２の配線パターンは等価なものであっても、例えば製造上の制約などから、検出用列配線２と検出用行配線３の配線幅が微妙に異なることなどが原因で、ブロック領域Ｃ１、Ｃ２とブロック領域Ｒ１、Ｒ２との間で、組合せて使用する表示装置からの表示光に対する透過率や外光に対する反射率、さらには透過光や反射光の波長スペクトルに差が生じてしまうことがあり得る。このため、ブロック領域Ｃ１、Ｃ２とブロック領域Ｒ１、Ｒ２との間の濃淡や色付きの差がパターンとして視認されてしまうといった問題が生じる。
【０１４０】
そこで、本実施の形態では、実施の形態３におけるグリッドＡのブロック領域Ｃ１，Ｃ２の検出用列配線２の一部を、検出用行配線３と同層のフローティング配線３Ｆで置換し、またブロック領域Ｒ１，Ｒ２の検出用行配線３の一部を、検出用列配線２と同層のフローティング配線２Ｆで置換したような構成としたものである。これにより、本実施の形態では、濃淡や色付きの異なる領域をブロック領域よりも細かく、言い換えれば、濃淡パターンや色付きパターンの繰り返し周波数（繰り返し回数）を高くすることで、視認され難くなっている。
【０１４１】
図３１は、本実施の形態においてグリッドＡ周辺を拡大した図である。ここでは、実施の形態１〜３と同様に、グリッドＡを分割してなる複数（ここでは４つ）の四角形状のブロック領域Ｃ１，Ｃ２，Ｒ１，Ｒ２が規定されており、ブロック領域Ｃ１，Ｃ２（第１のブロック領域）のそれぞれには、検出用列配線２と、行方向束配線７（検出用行配線３）と同じ配線層に形成されたフローティング配線３Ｆ（第１フローティング配線）とが設けられる。このフローティング配線３Ｆは、検出用行配線３と同じ配線層の配線ではあるが、行方向束配線７の一部を構成する事無く、列方向束配線６及び行方向束配線７と非接続、すなわちフローティング状態にある。
【０１４２】
また、ブロック領域Ｒ１，Ｒ２（第２のブロック領域）のそれぞれには、検出用行配線３と、列方向束配線６（検出用列配線２）と同じ配線層に形成されたフローティング配線２Ｆ（第２フローティング配線）とが設けられている。このフローティング配線２Ｆは、検出用列配線２と同じ配線層の配線ではあるが、列方向束配線６の一部を構成する事無く、列方向束配線６及び行方向束配線７と非接続、すなわちフローティング状態にある。
【０１４３】
さらに、検出用列配線２が設けられるブロック領域Ｃ１，Ｃ２と、検出用行配線３が設けられるブロック領域Ｒ１，Ｒ２とが、全体として列方向ｙ及び行方向ｘにおいて交互に配置されており、チェッカーパターンを成している。
【０１４４】
また、実施の形態１〜３と同様に、１つのグリッドＡにおいて、検出用列配線２と検出用行配線３との立体交差を、図３２において破線の円が付された１箇所（ブロック領域Ｃ１，Ｃ２，Ｒ１，Ｒ２が接する１箇所）においてのみ備えるものとなっている。つまり、図３２において破線の円が付された箇所では、ブロック領域Ｃ１の１本の検出用列配線２と、ブロック領域Ｃ２の１本の検出用列配線２とが連結されているとともに、ブロック領域Ｒ１の１本の検出用行配線３と、ブロック領域Ｒ２の１本の検出用行配線３とが連結されている。
【０１４５】
そして、図３２において破線の三角形が付された箇所では、ブロック領域Ｒ１の１本の検出用行配線３と、ブロック領域Ｒ２の１本の検出用行配線３とは連結されているが、ブロック領域Ｃ１の検出用列配線２と、ブロック領域Ｃ２の検出用列配線２とは、その連結部分を挟むように配置されており、非連結となっている。また、図３２において破線の四角形が付された箇所では、ブロック領域Ｃ１の１本の検出用列配線２と、ブロック領域Ｃ２の１本の検出用列配線２とは連結されているが、ブロック領域Ｒ１の検出用行配線３と、ブロック領域Ｒ２の検出用行配線３とは、その連結部分を挟むように配置され非連結となっている。また、図３２において実線の円が付された４箇所Ｏ１〜Ｏ４では、ブロック領域Ｃ１，Ｃ２の検出用列配線２同士は離間されて非連結となっており、かつ、ブロック領域Ｒ１，Ｒ２の検出用行配線３同士は離間されて非連結となっている。
【０１４６】
図３３及び図３４は、それぞれ、ブロック領域Ｃ１，Ｃ２での検出用列配線２及びフローティング配線３Ｆの構成を示す拡大図である。図３３及び図３４に示すように、ブロック領域Ｃ１，Ｃ２における検出用列配線２は、それぞれが第１傾斜部である傾斜部分２ａＳ１，２ｂＳ２と、それぞれが第２傾斜部である傾斜部分２ａＳ２，２ｂＳ１とを備える。
【０１４７】
同様に、ブロック領域Ｃ１，Ｃ２におけるフローティング配線３Ｆは、それぞれが第１傾斜部（傾斜部分２ａＳ１，２ｂＳ２）と同様の傾斜部である傾斜部分３ａＳ１，３ｂＳ２と、それぞれが第２傾斜部（傾斜部分２ａＳ２，２ｂＳ１）と同様の傾斜部である傾斜部分３ａＳ２，３ｂＳ１とを備える。
【０１４８】
そして、検出用列配線２の傾斜部分２ａＳ１と傾斜部分２ａＳ２とからなる「＞」の字形状を有する＞形状配線２ｇと、フローティング配線３Ｆの傾斜部分３ａＳ１と傾斜部分３ａＳ２とからなる「＞」の字形状を有する＞形状配線３ｇとが、列方向ｙ及び行方向ｘに沿って所定ピッチで交互に繰り返し配設される。
【０１４９】
また同様に、検出用列配線２の傾斜部分２ｂＳ２と傾斜部分２ｂＳ１とからなる「＜」の字形状を有する＜形状配線２ｈと、フローティング配線３Ｆの傾斜部分３ｂＳ２と傾斜部分３ｂＳ１とからなる「＜」の字形状を有する＜形状配線３ｈとが、列方向ｙ及び行方向ｘに沿って所定ピッチで交互に繰り返し配設される。
【０１５０】
なお、検出用列配線２の＞形状配線２ｇ（第１検出用列配線）及び＜形状配線２ｈ（第２検出用列配線）は互いに線対称の関係にあり、また、フローティング配線３Ｆの＞形状配線３ｇ（第１部分フローティング配線）及び＜形状配線３ｈ（第２部分フローティング配線）も互いに線対称の関係にある。
【０１５１】
ここで、検出用列配線２の第１傾斜部（傾斜部分２ａＳ１，２ｂＳ２）、及び、フローティング配線３Ｆの第１傾斜部と同様の傾斜部（傾斜部分３ａＳ１，３ｂＳ２）は、列方向ｙに対して傾斜角度＋４５°（第１角度）だけ傾斜している。
【０１５２】
検出用列配線２の第２傾斜部（傾斜部分２ａＳ２，２ｂＳ１）、及び、フローティング配線３Ｆの第２傾斜部と同様の傾斜部（傾斜部分３ａＳ２，３ｂＳ１）は、列方向ｙに対して第１傾斜部と逆向きに傾斜している。つまり、これら傾斜部（傾斜部分２ａＳ２，２ｂＳ１，３ａＳ２，３ｂＳ１）は、列方向ｙに対して傾斜角度−４５°だけ傾斜している。
【０１５３】
次に、図３３を用いて、ブロック領域Ｃ１に設けられた検出用列配線２及びフローティング配線３Ｆの構成についてより詳細に説明する。図３３に示す当該構成は、図２７をもとに説明した実施の形態３におけるブロック領域Ｃ１に対し、検出用列配線２の一部の配線を検出用行配線３と同層のフローティング配線３Ｆで置換した構成である。上述したように、このフローティング配線３Ｆは検出用行配線３と同層の配線ではあるが、行方向束配線７の一部を構成する事無く、当該ブロック内にて配線接続が閉じた状態の配線、すなわちフローティング状態にある。
【０１５４】
図３３に示されるように、本実施の形態では、実施の形態３の連結部分２Ｐ１，２Ｐ２は存在せず、傾斜部分２ａＳ１及び傾斜部分２ａＳ２からなる＞形状配線２ｇと、傾斜部分２ｂＳ２及び傾斜部分２ｂＳ１からなる＜形状配線２ｈとが連結点Ｊ１で連結される。ブロック領域Ｃ１において、このような検出配線パターンが連結点Ｊ５で＋４５°方向及び−４５°方向に連結しながら伸在する。
【０１５５】
また、検出用列配線２は、＞形状配線２ｇと＜形状配線２ｈとを接続する分岐配線２ｅ（第１分岐配線）も備えている。なお、＞形状配線２ｇと＜形状配線２ｈとは、互いに線対称の関係にある。
【０１５６】
一方、検出用行配線３と同層のフローティング配線３Ｆの傾斜部分３ａＳ１及び傾斜部分３ａＳ２からなる＞形状配線３ｇと、傾斜部分３ｂＳ２及び傾斜部分３ｂＳ１からなる＜形状配線３ｈとが連結点Ｊ３で連結される。ブロック領域Ｃ１において、このようなフローティング配線パターンが連結点Ｊ６で＋４５°方向及び−４５°方向に連結しながら伸在する。
【０１５７】
このとき、＞形状配線２ｇと＜形状配線２ｈとが連結点Ｊ１で連結された検出配線パターンと、＞形状配線３ｇと＜形状配線３ｈとが連結点Ｊ３で連結されたフローティング配線パターンとは、ブロック領域Ｃ１内で交互にチェッカーパターン状に配置される。
【０１５８】
また、ブロック領域Ｃ１の右上端（＋ｘ側及び−ｙ側）に位置する＜形状配線２ｈの上端（−ｙ側）は、ブロック領域Ｃ１の頂点Ｊｃ１まで延在している。さらに、ブロック領域Ｃ１の右下端（＋ｘ側及び＋ｙ側）に位置する＜形状配線２ｈの下端（＋ｙ側）は、ブロック領域Ｃ１の頂点Ｊｃ２まで延在している。そして、ブロック領域Ｃ１の検出用列配線２は、当該頂点Ｊｃ２，Ｊｃ１において右下側（＋ｘ側及び＋ｙ側）及び右上側（＋ｘ側及び−ｙ側）に位置するブロック領域Ｃ２の検出用列配線２と連結され、電気的に接続されている。
【０１５９】
また、上述したように、本実施の形態に係る検出用列配線２は、連結点Ｊ１で連結されている＞形状配線２ｇ及び＜形状配線２ｈを連結する分岐配線２ｅ（第１分岐配線）を備えている。この分岐配線２ｅは、第１傾斜部（傾斜部分２ａＳ１，２ｂＳ２）と同様の傾斜部（傾斜部分２ｅＳ２，２ｅＳ３）と、第２傾斜部（傾斜部分２ａＳ２，２ｂＳ１）と同様の傾斜部（傾斜部分２ｅＳ１，２ｅＳ４）と、傾斜部分２ｅＳ１〜２ｅＳ４を２つずつ連結する連結部分２ｅＰとを有している。このように構成された分岐配線２ｅにおいては、傾斜部分２ｅＳ２，２ｅＳ３は、傾斜部分２ａＳ１，２ｂＳ２と平行となっており、傾斜部分２ｅＳ１，２ｅＳ４は、傾斜部分２ａＳ２，２ｂＳ１と平行となっている。
【０１６０】
同様に、本実施の形態に係るフローティング配線３Ｆは、連結点Ｊ３で連結されている＞形状配線３ｇ及び＜形状配線３ｈを連結する分岐配線３ｅ（第３分岐配線）を備えている。この分岐配線３ｅは、第１傾斜部（傾斜部分２ａＳ１，２ｂＳ２）と同様の傾斜部（傾斜部分３ｅＳ２，３ｅＳ３）と、第２傾斜部（傾斜部分２ａＳ２，２ｂＳ１）と同様の傾斜部（傾斜部分３ｅＳ１，３ｅＳ４）とを有している。
【０１６１】
次に、図３４を用いて、ブロック領域Ｃ２に設けられた検出用列配線２及びフローティング配線３Ｆの構成についてより詳細に説明する。このブロック領域Ｃ２での検出用列配線２及びフローティング配線３Ｆは、上述したブロック領域Ｃ１での検出用列配線２及びフローティング配線３Ｆと同様に構成されている。
【０１６２】
ただし、このブロック領域Ｃ２においては、左上端（−ｘ側及び−ｙ側）に位置する＞形状配線２ｇの上端（−ｙ側）は、ブロック領域Ｃ２の頂点Ｊｃ２まで延在している。さらに、ブロック領域Ｃ２の左下端（−ｘ側及び＋ｙ側）に位置する＞形状配線２ｇの下端（＋ｙ側）は、ブロック領域Ｃ２の頂点Ｊｃ１まで延在している。
【０１６３】
そして、ブロック領域Ｃ２の検出用列配線２は、当該頂点Ｊｃ１，Ｊｃ２において左下側（−ｘ側及び＋ｙ側）及び左上側（−ｘ側及び−ｙ側）に位置するブロック領域Ｃ１の検出用列配線２と連結され、電気的に接続されている。また、ブロック領域Ｃ１，Ｃ２の検出用列配線２は、それぞれの中心に位置する連結点Ｊ１を中心に９０°回転させても回転前後の形状はほぼ同じとなっており、連結点Ｊ１に対して点対称となっている。
【０１６４】
図３５及び図３６は、それぞれ、ブロック領域Ｒ１，Ｒ２での検出用行配線３及びフローティング配線２Ｆの構成を示す拡大図である。ブロック領域Ｒ１，Ｒ２での検出用行配線３及びフローティング配線２Ｆの構成は、図３３及び図３４に示したブロック領域Ｃ１，Ｃ２での検出用列配線２及びフローティング配線３Ｆと同様の構成を有している。すなわち、図３５及び図３６に示す当該構成は、図２９及び図３０をもとに説明した実施の形態３におけるブロック領域Ｒ１、Ｒ２に対し、検出用行配線３の一部の配線を検出用列配線２と同層のフローティング配線２Ｆで置換した構成である。上述したように、このフローティング配線２Ｆは検出用列配線２と同層の配線ではあるが、列方向束配線６の一部を構成する事無く、当該ブロック内にて配線接続が閉じた状態の配線、すなわちフローティング状態にある。
【０１６５】
ブロック領域Ｒ１，Ｒ２における検出用行配線３は、行方向ｘに対して傾斜角度＋４５°で傾斜した第３傾斜部（傾斜部分３ａＳ１，３ｂＳ２）と、行方向ｘに対して傾斜角度−４５°で傾斜した第４傾斜部（傾斜部分３ａＳ２，３ｂＳ１）とを備える。
【０１６６】
同様に、ブロック領域Ｒ１，Ｒ２におけるフローティング配線２Ｆは、それぞれが第３傾斜部（傾斜部分３ａＳ１，３ｂＳ２）と同様の傾斜部である傾斜部分２ａＳ１，２ｂＳ２と、それぞれが第４傾斜部（傾斜部分３ａＳ２，３ｂＳ１）と同様の傾斜部である傾斜部分２ａＳ２，２ｂＳ１とを備える。
【０１６７】
そして、検出用行配線３の傾斜部分３ａＳ１と傾斜部分３ａＳ２とからなる「＞」の字形状を有する＞形状配線３ｇと、フローティング配線２Ｆの傾斜部分２ａＳ１と傾斜部分２ａＳ２とからなる「＞」の字形状を有する＞形状配線２ｇとが、列方向ｙ及び行方向ｘに沿って所定ピッチで交互に繰り返し配設される。
【０１６８】
また同様に、検出用行配線３の傾斜部分３ｂＳ２と傾斜部分３ｂＳ１とからなる「＜」の字形状を有する＜形状配線３ｈと、フローティング配線２Ｆの傾斜部分２ｂＳ２と傾斜部分２ｂＳ１とからなる「＜」の字形状を有する＜形状配線２ｈとが、列方向ｙ及び行方向ｘに沿って所定ピッチで交互に繰り返し配設される。
【０１６９】
なお、検出用行配線３の＞形状配線３ｇ（第１検出用行配線）及び＜形状配線３ｈ（第２検出用行配線）は互いに線対称の関係にあり、また、フローティング配線２Ｆの＞形状配線２ｇ（第３部分フローティング配線）及び＜形状配線２ｈ（第４部分フローティング配線）は互いに線対称の関係にあり、またも互いに線対称の関係にある。
【０１７０】
また、本実施の形態に係る検出用行配線３は、連結点Ｊ３で連結されている＞形状配線３ｇ及び＜形状配線３ｈを連結する分岐配線３ｅ（第２分岐配線）を備えている。この分岐配線３ｅは、第３傾斜部（傾斜部分３ａＳ１，３ｂＳ２）と同様の傾斜部（傾斜部分３ｅＳ２，３ｅＳ３）と、第４傾斜部（傾斜部分３ａＳ２，３ｂＳ１）と同様の傾斜部（傾斜部分３ｅＳ１，３ｅＳ４）とを有している。
【０１７１】
また、本実施の形態に係るフローティング配線２Ｆは、連結点Ｊ１で連結されている＞形状配線２ｇ及び＜形状配線２ｈを連結する分岐配線２ｅ（第４分岐配線）を備えている。この分岐配線２ｅは、第３傾斜部（傾斜部分３ａＳ１，３ｂＳ２）と同様の傾斜部（傾斜部分２ｅＳ２，２ｅＳ３）と、第４傾斜部（傾斜部分３ａＳ２，３ｂＳ１）と同様の傾斜部（傾斜部分２ｅＳ１，２ｅＳ４）とを有している。
【０１７２】
ただし、ブロック領域Ｒ１の検出用行配線３の左下側（−ｘ側及び＋ｙ側）及び右下側（＋ｘ側及び＋ｙ側）の部分は、それぞれブロック領域Ｒ１の頂点Ｊｒ１，Ｊｒ２まで延在している。そして、ブロック領域Ｒ１の検出用行配線３は、当該頂点Ｊｒ１，Ｊｒ２において左下側（−ｘ側及び＋ｙ側）及び右下側（＋ｘ側及び＋ｙ側）に位置するブロック領域Ｒ２の検出用行配線３と連結されている。また、ブロック領域Ｒ２の検出用行配線３の左上側（−ｘ側及び−ｙ側）及び右上側（＋ｘ側及び−ｙ側）の部分は、それぞれブロック領域Ｒ２の頂点Ｊｒ２，Ｊｒ１まで延在している。そして、ブロック領域Ｒ２の検出用行配線３は、当該頂点Ｊｒ１，Ｊｒ２において左上側（−ｘ側及び−ｙ側）及び右上側（＋ｘ側及び−ｙ側）に位置するブロック領域Ｒ１の検出用行配線３と連結されている。
【０１７３】
以上のように、本実施の形態によれば、ブロック領域Ｃ１，Ｃ２の検出用列配線２の一部を検出用行配線３と同じ配線層のフローティング配線で置換し、またブロック領域Ｒ１，Ｒ２の検出用行配線３の一部を検出用列配線２と同じ配線層のフローティング配線で置換したような構成としたものである。これにより、製造上の制約などから、検出用列配線２や検出用行配線の配線幅が微妙に異なることなどに起因するブロック領域Ｃ１，Ｃ２とＲ１，Ｒ２との間の透過率、反射率、波長スペクトルの違いによるブロック領域パターンが視認されるという問題を改善することができる。すなわち、濃淡や色付きの異なる領域パターンをブロック領域パターンよりも細かく、言い換えれば、濃淡パターンや色付きパターンの繰り返し周波数を高くすることで、視認され難くすることができる。また、実施の形態１〜３と同様の効果を得ることができる。
【０１７４】
また、本実施の形態では、第１ジグザグ配線２ａと第２ジグザグ配線２ｂとを電気的に接続する分岐配線２ｅと、第５ジグザグ配線３ａと第６ジグザグ配線３ｂとを電気的に接続する分岐配線３ｅとを備えている。したがって、複数の検出用列配線２及び複数の検出用行配線３の一箇所に断線が生じた場合に、列方向束配線６及び行方向束配線７の抵抗が高くなるのを抑制することができる。よって、信頼性の高いタッチ位置検出が可能となる。
【０１７５】
また、分岐配線２ｅ，３ｅは、第１及び第２傾斜部と同様の傾斜部を有している。したがって、検出用列配線２の配置、及び、検出用行配線３の配置を均一化することができる。よって、検出用列配線２及び検出用行配線３が不透明な高導電性材料で形成された場合であっても、表示パネルが出射した表示光がタッチスクリーン１を通り抜ける際の透過率を均一化することができ、モワレ縞の発生を抑制することができる。
【０１７６】
なお、＞形状配線３ｇと＜形状配線３ｈが連結点Ｊ３で連結されたフローティング配線３Ｆのパターン同士は必ずしも連結点Ｊ６で連結している必要はなく、それぞれ孤立していても良い。
【０１７７】
＜実施の形態５＞
実施の形態４で説明した構成においては、実施の形態３の構成における連結部分２Ｐ１、２Ｐ２、３Ｐ１、３Ｐ２が存在しない。このため、この斜め配線の連結部と非連結部とが混在することに起因する配線パターンの不均一性が視認され易くなる。また、実施の形態４における連結部分のｘ方向及びｙ方向の繰り返しピッチは、実施の形態３の２倍大きくなるため、連結部分自体が視認されやすい。
【０１７８】
また、上記各実施の形態における連結点Ｊｃ１、Ｊｃ２、Ｊｒ１、Ｊｒ２では、検出用列配線２及び検出用行配線３のうちの一方は離間しているため、ブロック領域内の斜め配線の交差部との不均一性が視認され易い。
【０１７９】
そこで、本実施の形態においては、このような斜め配線の非連結部分に対して、ダミー連結配線を設けることで、配線パターンの不均一性が視認され難くなっている。
【０１８０】
図３７は、本実施の形態においてグリッドＡ周辺を拡大した図である。ブロック領域Ｃ１、Ｃ２、Ｒ１、Ｒ２の構成やブロック領域内での検出用列配線２、検出用行配線３、フローティング配線２Ｆ、３Ｆの構成は、実施の形態４にて説明した構成と同等である。図３７に示すように、本実施の形態では、上記実施の形態４で説明した構成において、＋４５°、−４５°の角度をもった斜め配線が離間しているブロック領域の境界にある箇所（図３７中にＰ、Ｑ、Ｕ、Ｗの実線の丸印にて示す）に、ダミー連結配線２Ｇ，３Ｇを設ける。
【０１８１】
図３８（ａ）〜（ｄ）はそれぞれ、斜め配線の離間箇所Ｐ，Ｑ，Ｕ，Ｗの拡大図である。なお、図３８（ａ）及び図３８（ｂ）は、１組のブロック領域（隣り合う２つのブロック領域Ｃ１，Ｒ１、ブロック領域Ｃ１，Ｒ２、ブロック領域Ｃ２，Ｒ１、または、ブロック領域Ｃ２，Ｒ２）の境界上の離間箇所Ｐ，Ｑの拡大図である。また、図３８（ｃ）は、斜め方向に隣り合う２つのブロック領域Ｒ１，Ｒ２の境界上の離間箇所Ｕの拡大図である。図３８（ｄ）は、斜め方向に隣り合う２つのブロック領域Ｃ１，Ｃ２の境界上の離間箇所Ｗの拡大図である。
【０１８２】
図３８（ａ）に示すように、本実施の形態に係るタッチスクリーン１は、１組のブロック領域（一方及び他方のブロック領域）の境界における離間部（離間箇所Ｐ）において、ダミー連結配線３Ｇ（第１ダミー配線）を備えている。つまり、タッチスクリーン１は、一方のブロック領域に設けられた検出用列配線２の第１端部と、他方のブロック領域に設けられたフローティング配線２Ｆの第２端部との間の離間部（離間箇所Ｐ）において、第１及び第２端部とは異なる配線層に形成されたダミー連結配線３Ｇを備えている。
【０１８３】
同様に、本実施の形態に係るタッチスクリーン１は、１組のブロック領域（一方及び他方のブロック領域）の境界における離間部（離間箇所Ｐ）において、ダミー連結配線２Ｇ（第２ダミー配線）を備えている。つまり、タッチスクリーン１は、一方のブロック領域に設けられた検出用行配線３の第３端部と、他方のブロック領域に設けられたフローティング配線３Ｆの第４端部との間の離間部（離間箇所Ｐ）において、第３及び第４端部とは異なる配線層に形成されたダミー連結配線２Ｇを備えている。
【０１８４】
そして、このダミー連結配線３Ｇの両端部は、検出用列配線２の第１端部及びフローティング配線２Ｆの第２端部とそれぞれ平面視において一部重なるように配置される。また、ダミー連結配線２Ｇの両端部は、検出用行配線３の第３端部及びフローティング配線３Ｆの第４端部とそれぞれ平面視において一部重なるように配置される。さらに、このような異なる配線層のダミー連結配線３Ｇと２Ｇは交差して配置される。なお、ダミー連結配線２Ｇ，３Ｇはいずれもフローティング状態である。そして、ダミー連結配線３Ｇは、列方向ｙに対して＋４５で傾斜しており、ダミー連結配線２Ｇは、列方向ｙに対して−４５°で傾斜している。
【０１８５】
同様に、図３８（ｂ）に示すように、本実施の形態に係るタッチスクリーン１は、１組のブロック領域の境界における離間部（離間箇所Ｑ）において、ダミー連結配線３Ｇを備えている。つまり、タッチスクリーン１は、一方のブロック領域に設けられた検出用列配線２の第１端部と、他方のブロック領域に設けられたフローティング配線２Ｆの第２端部との間の離間部（離間箇所Ｑ）において、第１及び第２端部とは異なる配線層に形成されたダミー連結配線３Ｇを備えている。
【０１８６】
同様に、本実施の形態に係るタッチスクリーン１は、１組のブロック領域の境界における離間部（離間箇所Ｑ）において、ダミー連結配線２Ｇを備えている。つまり、タッチスクリーン１は、一方のブロック領域に設けられた検出用行配線３の第３端部と、他方のブロック領域に設けられたフローティング配線３Ｆの第４端部との間の離間部（離間箇所Ｑ）において、第３端部及び第４端部とは異なる配線層に形成されたダミー連結配線２Ｇを備えている。
【０１８７】
そして、このダミー連結配線３Ｇの両端部は、検出用列配線２の第１端部及びフローティング配線２Ｆの第２端部とそれぞれ平面視において一部重なるように配置される。また、ダミー連結配線２Ｇの両端部は、検出用行配線３の第３端部及びフローティング配線３Ｆの第４端部とそれぞれ平面視において一部重なるように配置される。さらに、このような異なる配線層のダミー連結配線３Ｇと２Ｇは交差して配置される。なお、ダミー連結配線２Ｇ，３Ｇはいずれもフローティング状態である。そして、ダミー連結配線３Ｇは、列方向ｙに対して−４５で傾斜しており、ダミー連結配線２Ｇは、列方向ｙに対して＋４５°で傾斜している。
【０１８８】
図３８（ｃ）に示すように、タッチスクリーン１は、ブロック領域Ｒ１，Ｒ２の境界における離間部（離間箇所Ｕ）において、ダミー連結配線２Ｋ（第２ダミー配線）を備えている。つまり、タッチスクリーン１は、一方のブロック領域Ｒ１に設けられた検出用行配線３の第３端部と、他方のブロック領域Ｒ２に設けられた検出用行配線３の第４端部との間の離間部（離間箇所Ｕ）において、第３及び第４端部とは異なる配線層に形成されたダミー連結配線２Ｋを備えている。
【０１８９】
そして、このダミー連結配線２Ｋの両端部は、検出用行配線３の第３及び第４端部とそれぞれ平面視において一部重なるように配置されている。なお、ダミー連結配線２Ｋは、検出用列配線２の分岐配線であり、列方向ｙに対して＋４５°で傾斜している。
【０１９０】
また、図３８（ｄ）に示すように、タッチスクリーン１は、ブロック領域Ｃ１，Ｃ２の境界における離間部（離間箇所Ｗ）において、ダミー連結配線３Ｋ（第１ダミー配線）を備えている。つまり、タッチスクリーン１は、一方のブロック領域Ｃ１に設けられた検出用列配線２の第１端部と、他方のブロック領域Ｃ２に設けられた検出用列配線２の第２端部との間の離間部（離間箇所Ｗ）において、第１及び第２端部とは異なる配線層に形成されたダミー連結配線３Ｋを備えている。
【０１９１】
そして、このダミー連結配線３Ｋの両端部は、検出用列配線２の第１及び第２端部とそれぞれ平面視において一部重なるように配置されている。なお、ダミー連結配線３Ｋは、検出用行配線３の分岐配線であり、列方向ｙに対して−４５°で傾斜している。
【０１９２】
以上のように、本実施の形態においては、斜め配線の非連結部分に対して、ダミー連結配線を設けることで、配線パターンの不均一性が視認され難くすることができる。なお、ここでは説明しなかったが、フローティング配線２Ｆ同士の間の離間部、または、フローティング配線３Ｆ同士の離間部においてもダミー連結配線を備える構成であっても、上述と同様の効果を得ることができる。
【０１９３】
また、実施の形態１〜５で説明した検出用列配線２及び検出用行配線３（分岐配線２ｅ，３ｅを含む）は、すべて略同一の線幅で形成されることが望ましい。このように構成した場合には、検出用列配線２及び検出用行配線３全体での透過率や反射率を均一にすることができるので、ブロック領域Ｃ１等が視認されるのを防ぐことができる。また、検出用列配線２及び検出用行配線３を構成する配線自体が視認されないように、その配線の幅は、１０μｍ以下であることが望ましい。
【０１９４】
以上で説明した各実施の形態においては、検出用列配線２が設けられるブロック領域をＣ１、Ｃ２の２個、検出用行配線３が設けられるブロック領域をＲ１，Ｒ２の２個、計４個のブロック領域によりグリッドＡを構成する場合につき説明した。しかしながら、グリッドＡを構成するブロック領域は各２個に限定されるものではなく、検出用列配線２が設けられるブロック領域、及び、検出用行配線３が設けられるブロック領域がそれぞれ同じ偶数個として、それぞれをチェッカーパターン状に配置すればよい。
【０１９５】
＜実施の形態６＞
本発明の実施の形態３では、以上で説明したタッチスクリーン１を、表示パネルである液晶表示パネル６１と貼り合わせることによって、タッチパネル１００と液晶表示パネル６１とを一体に構成した液晶表示装置について説明する。
【０１９６】
図３９は、本実施の形態に係る液晶表示装置の構成を示す断面図である。この液晶表示装置は、タッチスクリーン１を備える図１４に示したタッチパネル１００と、粘着層６０と、液晶表示パネル６１と、バックライト６９とを備えている。なお、図３９では、便宜上、タッチパネル１００のＦＰＣ１７及びコントローラ基板１８の図示は省略されている。
【０１９７】
液晶表示パネル６１は、偏光板６２と、粘着層６３と、カラーフィルタ基板６４と、液晶層６５と、ＴＦＴアレイ基板６６と、粘着層６７と、偏光板６８とを備えている。以下、図３９において上側を厚み方向一方側と呼び、図３９において下側を厚み方向他方側と呼ぶ。
【０１９８】
カラーフィルタ基板６４は、ガラス基板上にカラーフィルタ、ブラックマトリックス、透明電極、及び配向膜（いずれも図示しない）が形成されてなる。ＴＦＴアレイ基板６６は、ガラス基板上に薄膜トランジスタ（Thin Film Transistor；ＴＦＴ）などのスイッチング素子（いずれも図示しない）が形成されてなる。液晶層６５は、カラーフィルタ基板６４とＴＦＴアレイ基板６６との間に挟持され、例えばツイステッドネマティック（Twisted Nematic；ＴＮ）液晶からなる。
【０１９９】
偏光板６８は、ＴＦＴアレイ基板６６の厚み方向他方側の表面に粘着層６７によって粘着固定されている。同様に、偏光板６２は、カラーフィルタ基板６４の厚み方向一方側の表面に粘着層６３によって粘着固定されている。また、液晶表示パネル６１の背面側（厚み方向他方側）には、光源であるバックライト６９が配設されている。
【０２００】
また、液晶表示パネル６１は、タッチパネル１００のタッチスクリーン１に装着される。本実施の形態では、タッチスクリーン１は、粘着層６０によって、液晶表示パネル６１の前面側（ここでは、偏光板６２の厚み方向一方側の表面）に粘着固定されている。
【０２０１】
このように本実施の形態に係る液晶表示装置では、タッチスクリーン１が液晶表示パネル６１の前面側に粘着固定されて一体となっている。したがって、従来必要であったタッチスクリーン１の保持機構を省略することができ、液晶表示装置全体を薄くすることができる。また、タッチスクリーン１と液晶表示パネル６１との間隙に塵埃などが混入するのを抑制することができることから、塵埃などの混入によって生じる表示への悪影響を抑制することができる。
【０２０２】
さて、図３９に示したＴＦＴアレイ基板６６には、図示しない外部のドライバ回路から、表示すべき画像に応じた信号（以下「画像信号」と呼ぶこともある）が入力される。ＴＦＴアレイ基板６６上に画素ごとに形成されたＴＦＴは、入力された画像信号に応じて、液晶層６５の印加電圧を制御し、その液晶層６５の液晶分子の配列方向を変化させる。
【０２０３】
バックライト６９からの入射光は、偏光板６８を通過して直線偏光の光となり、液晶層６５を通過することによって、表示する画像の信号に応じて振動方向が曲げられる。そして、振動方向が曲げられた光は、カラーフィルタ基板６４に形成されたカラーフィルタを通過することによって、三原色の光に分離され、さらに前面側の偏光板６２を通過することによって、画像信号に応じた光強度を有する光となる。そして、さらに、偏光板６２を通過した光が、その前面にあるタッチスクリーン１を通過して表示光として使用者に視認される。
【０２０４】
このようにして、画像信号に応じて、バックライト６９からの光の透過率を制御することによって、液晶表示装置は所望の表示を行う。また、タッチスクリーン１を備えるタッチパネル１００は、発振周期の変化に基づいてタッチ座標値を算出して、算出したタッチ座標値をタッチ座標データとして出力する。
【０２０５】
ここで、本実施の形態では、タッチスクリーン１の列方向ｙと液晶表示パネル６１内の画素パターンの列方向とは互いに平行であり、かつ、タッチスクリーン１の行方向ｘと液晶表示パネル６１内の画素パターンの行方向とは互いに平行である状態で、液晶表示パネル６１がタッチスクリーン１に装着されている。
【０２０６】
このような本実施の形態に係る液晶表示装置によれば、検出用列配線２及び検出用行配線３のそれぞれの各ジグザグ配線が、画素パターンの配列方向に対して傾斜した斜め方向に、各画素に対して配置されることになる。したがって、液晶表示パネル６１の各画素の一部を、検出用列配線２及び検出用行配線３により均一に覆うことができる。その結果、液晶表示パネル６１全体から出射された表示光がタッチスクリーン１を通り抜ける際の透過率を均一化することができ、モワレ縞の発生を抑制することができる。
【０２０７】
なお、本発明は、その発明の範囲内において、実施の形態を適宜、変形、省略することが可能である。
【符号の説明】
【０２０８】
１  タッチスクリーン、２  検出用列配線、２ａ  第１ジグザグ配線、２ｂ  第２ジグザグ配線、２ａＳ１，２ａＳ２，２ｂＳ１，２ｂＳ２，２ｃＳ１，２ｃＳ２，２ｄＳ１，２ｄＳ２，２ｅＳ１，２ｅＳ２，２ｅＳ３，２ｅＳ４，３ａＳ１，３ａＳ２，３ｂＳ１，３ｂＳ２，３ｃＳ１，３ｃＳ２，３ｄＳ１，３ｄＳ２  傾斜部分、２ｅ，３ｅ  分岐配線、２Ｆ，３Ｆ  フローティング配線、２Ｇ，２Ｋ，３Ｇ，３Ｋ  ダミー連結配線、３  検出用行配線、３ａ  第５ジグザグ配線、３ｂ  第６ジグザグ配線、６  列方向束配線、７  行方向束配線、１２  ベース基板、１９  スイッチ回路、２０  検出処理回路、６１  液晶表示パネル、１００  タッチパネル、Ａ  グリッド、Ｃ１，Ｃ２，Ｒ１，Ｒ２  ブロック領域。
【図１】
0005506758.tif 000002
【図２】
0005506758.tif 000003
【図３】
0005506758.tif 000004
【図４】
0005506758.tif 000005
【図５】
0005506758.tif 000006
【図６】
0005506758.tif 000007
【図７】
0005506758.tif 000008
【図８】
0005506758.tif 000009
【図９】
0005506758.tif 000010
【図１０】
0005506758.tif 000011
【図１１】
0005506758.tif 000012
【図１２】
0005506758.tif 000013
【図１３】
0005506758.tif 000014
【図１４】
0005506758.tif 000015
【図１５】
0005506758.tif 000016
【図１６】
0005506758.tif 000017
【図１７】
0005506758.tif 000018
【図１８】
0005506758.tif 000019
【図１９】
0005506758.tif 000020
【図２０】
0005506758.tif 000021
【図２１】
0005506758.tif 000022
【図２２】
0005506758.tif 000023
【図２３】
0005506758.tif 000024
【図２４】
0005506758.tif 000025
【図２５】
0005506758.tif 000026
【図２６】
0005506758.tif 000027
【図２７】
0005506758.tif 000028
【図２８】
0005506758.tif 000029
【図２９】
0005506758.tif 000030
【図３０】
0005506758.tif 000031
【図３１】
0005506758.tif 000032
【図３２】
0005506758.tif 000033
【図３３】
0005506758.tif 000034
【図３４】
0005506758.tif 000035
【図３５】
0005506758.tif 000036
【図３６】
0005506758.tif 000037
【図３７】
0005506758.tif 000038
【図３８】
0005506758.tif 000039
【図３９】
0005506758.tif 000040
【図４０】
0005506758.tif 000041
【図４１】
0005506758.tif 000042